(57)【特許請求の範囲】
【請求項１】
洗濯物が投入されるように前面パネルに形成された投入口及び前記投入口を開閉するドアを備えるキャビネットと、
前記キャビネットの内部に設けられ、内部に洗濯水が貯蔵されるタブと、
前記投入口に連通し、前記タブの内部に回転可能に設けられるドラムと、
前記投入口の下方に設置される洗剤ディスペンサと、
給水源から洗濯水を前記タブと前記洗剤ディスペンサの少なくとも一方に供給する給水流路と、
前記洗剤ディスペンサ及び前記タブの洗剤流入口を連結して前記タブに貯蔵された洗濯水が前記洗剤ディスペンサに供給されるようにする第１洗剤供給流路と、前記洗剤ディスペンサ及び前記タブの上部を連結して前記洗剤ディスペンサに貯蔵された洗剤が前記タブに供給されるようにする第２洗剤供給流路とを備える連結流路と、
洗濯水又は洗剤が混入された洗濯水を前記タブに循環させる循環ポンプとを含み、
前記第２洗剤供給流路の上端部は、前記タブのガスケットの上部を貫通して前記ドラムの内部に突出し、前記第２洗剤供給流路の上端部にノズルが設けられ、前記ノズルから前記ドラム内部の洗濯物に洗剤が噴射される、洗濯機。
【請求項２】
前記洗剤ディスペンサは、
上面に開口部を有するディスペンサケースと、
内部に洗剤が貯蔵され、前記ディスペンサケースに装着される洗剤供給部とを含む、請求項１に記載の洗濯機。
【請求項３】
前記洗剤供給部は、手動洗剤供給部と自動洗剤供給部の少なくとも一方を含む、請求項２に記載の洗濯機。
【請求項４】
前記キャビネットの内部にポンプモジュールが備えられ、
前記ポンプモジュールは、前記タブを通過した洗濯水又は洗剤が混入された洗濯水を前記キャビネットの外部に排出させる排水ポンプを含む、請求項３に記載の洗濯機。
【請求項５】
前記第１洗剤供給流路は、洗剤が前記洗剤ディスペンサから前記タブの底面に形成された洗剤流入口に供給されるようにする、請求項４に記載の洗濯機。
【請求項６】
前記給水流路は、洗濯水が前記給水源から前記タブに供給されるように前記給水源及び前記タブを連結する第１給水流路と、洗濯水が前記給水源から前記洗剤ディスペンサに供給されるように前記給水源及び前記洗剤ディスペンサを連結する第２給水流路の少なくとも一方の給水流路を含み、
前記第１給水流路と前記第２給水流路の少なくとも一方の給水流路に給水バルブが設けられる、請求項４又は５に記載の洗濯機。
【請求項７】
前記自動洗剤供給部と前記手動洗剤供給部の少なくとも一方の洗剤は、前記第１洗剤供給流路を介して前記タブの底面に供給される、請求項５又は６に記載の洗濯機。
【請求項８】
前記自動洗剤供給部と前記手動洗剤供給部の少なくとも一方の洗剤は、前記第２洗剤供給流路を介して前記タブの上部に供給される、請求項５又は６に記載の洗濯機。
【請求項９】
前記第１洗剤供給流路は、前記タブから排出される洗濯水が前記洗剤ディスペンサに逆流することを防止するための逆流防止手段を備える、請求項５〜８のいずれか一項に記載の洗濯機。
【請求項１０】
前記第１洗剤供給流路は、前記タブから排出される洗濯水が前記洗剤ディスペンサに逆流することを防止するための逆流防止手段を備え、
前記第１給水流路は、前記逆流防止手段より高い位置に配置される、請求項６に記載の洗濯機。
【請求項１１】
前記給水源から前記タブに供給される洗濯水は、前記第２給水流路を介して供給されて前記タブの水位が前記逆流防止手段の高さになると、前記第１給水流路を介して供給される、請求項１０に記載の洗濯機。
【請求項１２】
前記タブ内部の洗濯水が前記キャビネットの外部に排水されるように前記タブ、前記排水ポンプ及び前記キャビネットの外部を連結する排水流路をさらに含み、
前記タブ及び前記排水ポンプを連結する排水流路は、前記第１洗剤供給流路の一部と共用される、請求項５〜１１のいずれか一項に記載の洗濯機。
【請求項１３】
前記手動洗剤供給部を通過した洗濯水が前記自動洗剤供給部の給水口に流入するように前記循環ポンプ及び前記自動洗剤供給部の給水口を連結する連結配管をさらに含む、請求項５〜１２のいずれか一項に記載の洗濯機。
【請求項１４】
前記自動洗剤供給部は、容器に貯蔵された洗剤を予め定められた量だけ選択的に吐出するポンピング手段を含み、
前記ポンピング手段は、前記自動洗剤供給部の洗剤を前記第１洗剤供給流路と前記第２洗剤供給流路の少なくとも一方の洗剤供給流路に吐出する、請求項４〜１３のいずれか一項に記載の洗濯機。
【請求項１５】
前記自動洗剤供給部は、
洗濯水が流入する給水口と、
前記給水口に連通し、前記ポンピング手段により吐出された洗剤が洗濯水と混合されるように流入する内部流路と、
前記内部流路に連通し、前記洗剤が混入された洗濯水を排出する排水口とを含む、請求項１４に記載の洗濯機。
【発明の詳細な説明】
【技術分野】
【０００１】
本発明は、洗濯機に関し、特に洗剤ディスペンサが備えられた洗濯機に関する。
【背景技術】
【０００２】
一般に、洗濯機は、ドラムの内部に洗濯物と洗濯水を投入した後に前記ドラムを回転させることで、洗濯物と洗濯水との相互作用により洗濯物に付着した汚染物質を除去する装置である。この過程において、洗濯力を向上させて洗濯物を保護するための各種添加剤を共に用いることもあるが、代表的には洗剤や各種柔軟剤などがある。
【０００３】
前記洗剤や各種柔軟剤（以下、「洗剤」と略称する）は、使用者が直接洗濯水に投入することもあり、又、前記洗濯機内に備えられた洗剤供給装置により供給することもある。前記洗剤供給装置は、前記洗濯機の前面又は上面に装着され、投入された洗剤が洗濯水と共に前記ドラムの内部に供給されるようにする。
【０００４】
具体的には、使用者が前記洗剤供給装置内に備えられた投入空間に適正量の洗剤を投入すると、前記ドラムに供給される洗濯水が前記投入空間を経由するようにし、洗濯水と共に洗剤が前記ドラムに供給されるようにする。
【０００５】
このような従来の洗濯機は、前記投入空間から前記ドラムに洗濯水を供給するための流路を別途備えるので、前記洗濯機のドラムの上部に前記流路を備えるための空間が必要であった。また、ドアが前面に設けられた場合は、前記洗剤供給装置が前記洗濯機の上面に装着され、前記ドアは前記洗剤供給装置の下方に装着されるので、前記ドアの高さが低くなる。よって、使用者が前記ドアを開いて前記ドラムに洗濯物を投入するのに便利でないという問題があった。
【０００６】
さらに、このような構造の洗濯機は、使用者が適正量を直接決定しなければならないだけでなく、毎回洗濯する度に洗剤を供給しなければならない不便を伴う。これを解消するために、多量の洗剤を貯蔵しておいて洗濯する度に適正量の供給が行われるようにするタイプの洗剤供給装置も考慮されている。しかし、粉末洗剤の特性上、水分と接触すると洗剤粉末同士が凝集して投入口を塞ぐなどの問題があった。
【発明の概要】
【発明が解決しようとする課題】
【０００７】
本発明の一目的は、洗剤ディスペンサの設置位置をドアの下方に下げ、ドア及び投入口の位置を上方に上げることにより、洗濯物の投入を容易にした洗濯機を提供することにある。
【０００８】
本発明の他の目的は、洗濯する度に使用者が洗剤を直接投入しなくても洗剤をドラムの内部に自動的に供給できる洗濯機を提供することにある。
【０００９】
本発明のさらに他の目的は、洗剤粉末の凝集現象などを防止できる洗濯機を提供することにある。
【課題を解決するための手段】
【００１０】
本発明の一目的を達成するために、本発明による洗濯機は、洗濯物が投入されるように前面パネルに形成された投入口及び前記投入口を開閉するドアを備えるキャビネットと、前記キャビネットの内部に設けられ、内部に洗濯水が貯蔵されるタブと、前記投入口に連通し、前記タブの内部に回転可能に設けられるドラムと、前記投入口の下方に設置される洗剤ディスペンサと、給水源から洗濯水を前記タブと前記洗剤ディスペンサの少なくとも一方に供給する給水流路と、前記タブに貯蔵された洗濯水が前記洗剤ディスペンサに流入して前記洗剤ディスペンサに貯蔵された洗剤が前記タブに流入するように前記タブ及び前記洗剤ディスペンサを連結する連結流路とを含む。
【００１１】
本発明の一目的に関する一例によれば、前記投入口は、前記キャビネットの前面部において上方に偏って配置されてもよい。
【００１２】
本発明の一目的に関する一例によれば、前記タブは、前面の高さが背面の高さより高くなるように、前記キャビネットの底面に対して傾斜して配置されてもよい。
【００１３】
本発明の一目的に関する一例によれば、前記洗剤ディスペンサは、上面に開口部を有するディスペンサケースと、内部に洗剤が貯蔵され、前記ディスペンサケースに装着される洗剤供給部とを含んでもよい。
【００１４】
本発明の一目的に関する一例によれば、前記ディスペンサケースは、前記キャビネットの前面部に回転可能に設けられ、前記開口部が外部に露出する開放位置と前記開口部が前記キャビネットの内部に収納される収納位置との間で回転するようにしてもよい。
【００１５】
本発明の一目的に関する一例によれば、前記ディスペンサケースは、前記キャビネットの前面パネルのうち前記投入口より低く位置する下部パネルの全体を形成するようにしてもよい。
【００１６】
本発明の一目的に関する一例によれば、前記ディスペンサケースは、前記キャビネットの前面パネルのうち前記投入口より低く位置する下部パネルの一部を形成するようにしてもよい。
【００１７】
本発明の一目的に関する一例によれば、前記ディスペンサケースは、前記洗剤ディスペンサが収納される収納孔を開閉する前面プレートと、前記前面プレートの両端部から後方に延びる側面プレートと、前記前面プレートの上端部が前後方向に回転可能になるように前記側面プレートの下端部に形成されて前記キャビネットに結合されるヒンジ軸とを含んでもよい。
【００１８】
本発明の一目的に関する一例によれば、前記洗剤供給部は、前記ディスペンサケースの開放位置で着脱可能に装着されるようにしてもよい。
【００１９】
本発明の一目的に関する一例によれば、前記ディスペンサケースは、前記前面プレートの開放角度が一定に維持されるように前記側面プレートに所定の曲率で形成されたガイド溝を備えてもよい。
【００２０】
本発明の一目的に関する一例によれば、前記洗剤供給部は、手動洗剤供給部と自動洗剤供給部の少なくとも一方を含んでもよい。
【００２１】
本発明の一目的に関する一例によれば、前記キャビネットの内部にポンプモジュールが備えられ、前記ポンプモジュールは、洗濯水又は洗剤が混入された洗濯水を前記タブに循環させる循環ポンプと、前記タブを通過した洗濯水又は洗剤が混入された洗濯水を前記キャビネットの外部に排出させる排水ポンプの少なくとも一方のポンプを含んでもよい。
【００２２】
本発明の一目的に関する一例によれば、前記連結流路は、洗剤が前記洗剤ディスペンサから前記タブの底面に供給されるように前記洗剤ディスペンサ及び前記タブの底面を連結する第１洗剤供給流路と、洗剤が前記洗剤ディスペンサから前記タブの底面を除く前記タブの残りの一部に供給されるように前記洗剤ディスペンサ及び前記タブの残りの一部を連結する第２洗剤供給流路の少なくとも一方の洗剤供給流路を含んでもよい。
【００２３】
本発明の一目的に関する一例によれば、前記給水流路は、洗濯水が前記給水源から前記タブに供給されるように前記給水源及び前記タブを連結する第１給水流路と、洗濯水が前記給水源から前記洗剤ディスペンサに供給されるように前記給水源及び前記洗剤ディスペンサを連結する第２給水流路の少なくとも一方の給水流路を含み、前記第１給水流路と前記第２給水流路の少なくとも一方の給水流路に給水バルブが設けられるようにしてもよい。
【００２４】
本発明の一目的に関する一例によれば、前記タブの底面に洗剤が流入するように洗剤流入口を備えてもよい。
【００２５】
本発明の一目的に関する一例によれば、前記自動洗剤供給部と前記手動洗剤供給部の少なくとも一方の洗剤は、前記第１洗剤供給流路を介して前記タブの底面に供給されるようにしてもよい。
【００２６】
本発明の一目的に関する一例によれば、前記自動洗剤供給部と前記手動洗剤供給部の少なくとも一方の洗剤は、前記第２洗剤供給流路を介して前記タブの残りの一部に供給されるようにしてもよい。
【００２７】
本発明の一目的に関する一例によれば、前記第１洗剤供給流路は、前記タブから排出される洗濯水が前記洗剤ディスペンサに逆流することを防止するための逆流防止手段を備えてもよい。
【００２８】
本発明の一目的に関する一例によれば、前記第１給水流路は、前記逆流防止手段より高い位置に配置されてもよい。
【００２９】
本発明の一目的に関する一例によれば、前記給水源から前記タブに供給される洗濯水は、前記第２給水流路を介して供給されて前記タブの水位が前記逆流防止手段の高さになると、前記第１給水流路を介して供給されるようにしてもよい。
【００３０】
本発明の一目的に関する一例によれば、前記洗濯機は、前記タブ内部の洗濯水が前記キャビネットの外部に排水されるように前記タブ、前記排水ポンプ及び前記キャビネットの外部を連結する排水流路をさらに含み、前記タブ及び前記排水ポンプを連結する排水流路は、前記第１洗剤供給流路の一部と共用されるようにしてもよい。
【００３１】
本発明の一目的に関する一例によれば、前記洗濯機は、前記手動洗剤供給部を通過した洗濯水が前記自動洗剤供給部の給水口に流入するように前記循環ポンプ及び前記自動洗剤供給部の給水口を連結する連結配管をさらに含んでもよい。
【００３２】
本発明の一目的に関する一例によれば、前記自動洗剤供給部は、容器に貯蔵された洗剤を予め定められた量だけ選択的に吐出するポンピング手段を含んでもよい。
【００３３】
本発明の一目的に関する一例によれば、前記ポンピング手段は、前記自動洗剤供給部の洗剤を前記第１洗剤供給流路と前記第２洗剤供給流路の少なくとも一方の洗剤供給流路に吐出するようにしてもよい。
【００３４】
本発明の一目的に関する一例によれば、前記自動洗剤供給部は、洗濯水が流入する給水口と、前記給水口に連通し、前記ポンピング手段により吐出された洗剤が洗濯水と混合されるように流入する内部流路と、前記内部流路に連通し、前記洗剤が混入された洗濯水を排出する排水口とを含んでもよい。
【００３５】
本発明の一目的に関する一例によれば、前記自動洗剤供給部は、洗剤の残量を検知する水位検知手段を備えてもよい。
【００３６】
本発明の一目的に関する一例によれば、前記水位検知手段は、一端部が前記容器の内部に露出する一対の電極と、前記電極に接続され、前記容器の底面に配置される容器側接続端子と、前記容器側接続端子と接触可能に前記容器収容部に設けられる収容部側接続端子とを含んでもよい。
【００３７】
本発明の一目的に関する一例によれば、前記手動洗剤供給部は、前記ディスペンサケースの上部に備えられ、洗濯水を分配する分配板と、洗剤が投入される投入空間及び底面の出水口を備え、前記分配板の下部に配置されて前記洗濯水が供給される洗剤投入部と、前記洗剤投入部の下部に備えられ、前記出水口から落下する洗濯水が一時貯蔵されるホッパー部と、前記ホッパー部から下方に延び、洗濯水又は洗剤が混入された洗濯水を排出する延長部とを含んでもよい。
【００３８】
本発明の一目的に関する一例によれば、前記延長部は、前記第１洗剤供給流路に連結され、前記タブから排出される洗濯水が前記洗剤ディスペンサに逆流することを防止するための逆流防止手段を備えてもよい。
【００３９】
本発明の一目的に関する一例によれば、前記出水口は、前記洗剤投入部の底面後方部に形成され、前記洗剤投入部の底面は、前記出水口に近づくほど低くなるように傾斜しており、前記洗剤ディスペンサが開放位置に回転した場合に、前記出水口が形成された部分がそれ以外の部分より高くなるように配置されてもよい。
【００４０】
本発明の他の目的を達成するために、本発明による洗濯機は、洗濯物が投入されるように前面パネルの一部に形成された投入口及び前記投入口を開閉するドアを備えるキャビネットと、前記キャビネットの内部に設けられ、内部に洗濯水が貯蔵されるタブと、前記投入口に連通し、前記タブの内部に回転可能に設けられるドラムと、前記投入口の下方に設置される洗剤ディスペンサとを含み、前記洗剤ディスペンサは、上面に開口部を有するディスペンサケースと、前記ディスペンサケースに装着される自動洗剤供給部と手動洗剤供給部の少なくとも一方の洗剤供給部とを含み、前記自動洗剤供給部は、注入口及び排出口を備え、液体洗剤が貯蔵される容器と、前記容器を収容する容器収容部と、前記容器の排出口から排出される液体洗剤を予め定められた量だけ選択的に吐出するポンピング手段とを含む。
【００４１】
本発明の他の目的に関する一例によれば、前記容器収容部は、前記容器が載置されるように上面に載置部を含んでもよい。
【００４２】
本発明の他の目的に関する一例によれば、前記ポンピング手段は、前記容器収容部に備えられてもよい。
【００４３】
本発明の他の目的に関する一例によれば、前記容器収容部は、洗濯水が流入する給水口と、前記洗濯水又は洗剤が混入された洗濯水が流出する排水口とを含んでもよい。
【００４４】
本発明の他の目的に関する一例によれば、前記容器収容部は、前記ポンピング手段により液体洗剤が吐出される吐出部を収容するボス部と、前記給水口及び前記排水口を連結し、前記吐出部から吐出される前記液体洗剤が流入するように前記ボス部に連通する内部流路とを含んでもよい。
【００４５】
本発明の他の目的に関する一例によれば、前記容器は、複数備えられ、そのうち少なくとも１つの容器は本洗濯時に使用される洗剤を貯蔵し、他の１つの容器は予備洗濯及び濯ぎ時に使用される洗剤を貯蔵するようにしてもよい。
【００４６】
本発明の他の目的に関する一例によれば、前記容器は、使用者が手で握ることができるように上部に把持部を備えてもよい。
【００４７】
本発明の他の目的に関する一例によれば、前記容器は、前記容器収容部の上部に着脱可能に結合されるようにしてもよい。
【００４８】
本発明の他の目的に関する一例によれば、前記容器収容部は、前記容器の挿入空間を形成するように容器支持フレームをさらに含んでもよい。
【００４９】
本発明の他の目的に関する一例によれば、前記自動洗剤供給部は、前記ポンピング手段を駆動する駆動部と、前記容器が前記載置部に載置された場合に前記駆動部及び前記ポンピング手段を連結するカプラーとを含んでもよい。
【００５０】
本発明の他の目的に関する一例によれば、前記駆動部は、前記容器収容部に設けられるモータハウジングと、前記モータハウジングの内部に収納され、前記カプラーにより前記ポンピング手段に連結されるように前記モータハウジングの外部に突出する駆動軸を備える駆動モータとを含んでもよい。
【００５１】
本発明の他の目的に関する一例によれば、前記自動洗剤供給部は、前記容器の底面に前記排出口を覆うように結合される流路形成プレートを含み、前記流路形成プレートは、前記排出口に対向するように配置されて前記液体洗剤が流入する流入部と、前記ポンピング手段により前記液体洗剤が吐出される吐出部と、前記流入部に流入した液体洗剤を前記吐出部に移送できるように前記流入部及び前記吐出部を連結する供給流路と、前記ポンピング手段を収容するように前記供給流路上に形成される収容空間とを含んでもよい。
【００５２】
本発明の他の目的に関する一例によれば、前記ポンピング手段は、前記流入部に流入した液体洗剤を前記吐出部に送出するギヤポンプで構成され、前記ギヤポンプは、前記収容空間に収容され、それぞれ回転軸により回転可能に支持され、互いに噛み合うように結合される第１及び第２ギヤとを含んでもよい。
【００５３】
本発明の他の目的に関する一例によれば、前記カプラーは、前記駆動部の上部に配置され、前記駆動部の駆動軸に結合される駆動ギヤと、前記ポンピング手段の下部に配置され、前記容器が前記載置部に載置された場合に前記駆動ギヤと噛み合うように結合される従動ギヤとを含んでもよい。
【００５４】
本発明の他の目的に関する一例によれば、前記ギヤポンプの回転軸のいずれかが前記流路形成プレートを貫通して突出し、前記従動ギヤが前記突出した回転軸の端部に結合されるようにしてもよい。
【００５５】
本発明の他の目的に関する一例によれば、前記自動洗剤供給部は、前記容器の内部に回転可能に設けられるアジテータをさらに含んでもよい。
【００５６】
本発明の他の目的に関する一例によれば、前記ギヤポンプの回転軸の他の１つが前記流路形成プレートを貫通して前記容器の内部に突出し、前記アジテータが前記突出した回転軸の端部に結合されるようにしてもよい。
【００５７】
本発明のさらに他の目的を達成するために、本発明による洗濯機は、洗濯物が投入されるように前面部に形成された投入口及び前記投入口を開閉するドアを備えるキャビネットと、前記キャビネットの内部に設けられ、内部に洗濯水が貯蔵されるタブと、前記投入口に連通し、前記タブの内部に回転可能に設けられるドラムと、給水源から洗濯水が供給され、前記洗濯水又は洗剤が混入された洗濯水を前記ドラムの内部に供給する洗剤供給装置とを含み、前記洗剤供給装置は、液体洗剤が貯蔵される貯蔵空間及び排出口を有する液体洗剤貯蔵部と、前記液体洗剤貯蔵部に備えられ、前記排出口から排出された液体洗剤を予め定められた量だけ選択的に吐出するポンピング手段を備える洗剤ボックスと、前記キャビネットに備えられ、前記洗剤ボックスが挿入及び引き出し可能に収納空間を有するディスペンサハウジングと、前記ディスペンサハウジングの上面に備えられ、前記給水源から供給される洗濯水を前記洗剤ボックスの内部に分配する給水分配ユニットとを含んでもよい。
【００５８】
本発明のさらに他の目的に関する一例によれば、前記液体洗剤貯蔵部は、前記ポンピング手段を駆動するように前記ディスペンサハウジングに備えられる駆動部と、前記洗剤ボックスが前記ディスペンサハウジングの内部に挿入装着された場合に前記駆動部及び前記ポンピング手段を連結するカプラーとを含んでもよい。
【００５９】
本発明のさらに他の目的に関する一例によれば、前記駆動部は、前記ディスペンサハウジングの後方に設けられるモータハウジングと、前記モータハウジングの内部に収納され、前記カプラーにより前記ポンピング手段に連結されるように前記モータハウジングの外部に突出する駆動軸を備える駆動モータとを含んでもよい。
【００６０】
本発明のさらに他の目的に関する一例によれば、前記液体洗剤貯蔵部は、前記洗剤ボックスの背面に前記排出口を覆うように結合される流路形成プレートを含み、前記流路形成プレートは、前記排出口に対向するように配置される流入部と、前記ポンピング手段により移送された液体洗剤が吐出される吐出部と、前記流入部に流入した液体洗剤を前記吐出部に移送できるように前記流入部及び前記吐出部を連結する供給流路と、前記ポンピング手段を収容するように前記供給流路上に形成される収容空間とを含んでもよい。
【００６１】
本発明のさらに他の目的に関する一例によれば、前記ポンピング手段は、前記流入部に流入した液体洗剤を前記吐出部に送出するギヤポンプで構成され、前記ギヤポンプは、前記収容空間に収容され、それぞれ回転軸により回転可能に支持され、互いに噛み合うように結合される第１及び第２ギヤとを含んでもよい。
【００６２】
本発明のさらに他の目的に関する一例によれば、前記カプラーは、前記駆動部の前方に配置され、前記駆動部の駆動軸に結合される駆動ギヤと、前記ポンピング手段の後方に配置され、前記洗剤ボックスが前記ディスペンサハウジングに挿入装着された場合に前記駆動ギヤと噛み合うように結合される従動ギヤとを含んでもよい。
【００６３】
本発明のさらに他の目的に関する一例によれば、前記ギヤポンプの回転軸のいずれかが前記流路形成プレートを貫通して突出し、前記従動ギヤが前記突出した回転軸の端部に結合されるようにしてもよい。
【００６４】
本発明のさらに他の目的に関する一例によれば、前記液体洗剤貯蔵部は、液体洗剤の補充のための注入口を備えるカバープレートと、前記注入口を開閉するように前記カバープレートに回転可能に装着される開閉プレートとを含んでもよい。
【００６５】
本発明のさらに他の目的に関する一例によれば、前記洗剤ボックスは、前記液体洗剤貯蔵部とは別に区画され、前記給水分配ユニットの洗濯水が投入される洗濯水投入部を備え、前記ディスペンサハウジングは、背面下端部に備えられ、洗濯水又は洗剤が混入された洗濯水が前記タブに供給されるように前記タブに連結される給水流路と、前記洗濯水投入部から流出する洗濯水及び前記液体洗剤貯蔵部から吐出される洗剤が合流及び混合されるように前記洗濯水投入部及び前記液体洗剤貯蔵部の吐出部及び前記給水流路を連結する空間部とを備えてもよい。
【００６６】
本発明のさらに他の目的に関する一例によれば、前記洗剤ボックスは、洗濯水又は洗剤が混入された洗濯水が流下するように内部にサイフォン管を備え、前記液体洗剤貯蔵部とは別に区画される粉末洗剤貯蔵部と、前記サイフォン管を通過した洗濯水又は洗剤が混入された洗濯水が前記空間部に流下するように前記空間部に連結される洗濯水排水通路とをさらに含んでもよい。
【００６７】
本発明のさらに他の目的に関する一例によれば、前記液体洗剤貯蔵部の底面は、前記排出口に向かって低くなるように傾斜して形成されてもよい。
【００６８】
前述したように構成された本発明によれば、投入口の高さが高くなり、タブの上側が高い位置に設けられることにより、使用者が腰を少し曲げるだけでよいので、洗濯物を容易に投入したり取り出すことができる。
【００６９】
また、適正量の洗剤がタブの内部に自動的に供給されることにより、使用者が洗濯する度に適正量の洗剤を洗剤供給装置の洗剤投入部に投入しなければならない煩雑さが解消され、洗剤供給が容易になるという効果がある。
【発明の効果】
【００７０】
よって、本発明によれば、液体洗剤貯蔵部に備えられたポンピング手段を選択的に駆動することにより、液体洗剤の適正量を使用者が決定するのではなく、洗剤供給装置において自動的に設定して供給することができ、所望の量を使用者が必要に応じて設定することができるので、従来の洗剤供給時の不都合を解消することができる。
【００７１】
また、粉末洗剤貯蔵部にサイフォン管を備えることにより、粉末洗剤が洗濯水に十分に溶解するまで粉末洗剤と洗濯水を密閉空間に一時貯蔵することができ、サイフォン管の高さ以上となると粉末洗剤が溶解した洗濯水を供給することができる。
【００７２】
さらに、サイフォン管及びサイフォンカバー管により洗剤液が通過する通路を狭くすることにより、従来の洗剤排出口が粉末洗剤の塊りにより塞がる現象を防止することができる。
【図面の簡単な説明】
【００７３】
【図１】本発明の一実施形態による洗濯機を示す斜視図である。
【図２】図１のＩ方向から見た断面図である。
【図３】本発明による手動洗剤供給部を示す背面斜視図である。
【図４】図３においてポンプユニットが除去された状態の分解斜視図である。
【図５】図３の洗剤ディスペンサの回転動作状態を示す側面図である。
【図６】本発明の他の実施形態による洗濯機を示す断面図である。
【図７】本発明のさらに他の実施形態による洗濯機を示す斜視図である。
【図８】図７のＩＩＩ方向から見た断面図である。
【図９】本発明による手動洗剤供給部及び自動洗剤供給部がディスペンサケースに装着された状態を示す背面斜視図である。
【図１０】図９の手動洗剤供給部から当該手動洗剤供給部の分配板が分解された状態を示す分解斜視図である。
【図１１】本発明による自動洗剤供給部において容器が容器収容部に装着されている状態を示す斜視図である。
【図１２】図１１に示す容器の底面斜視図である。
【図１３】図１２の容器の底面に装着される流路形成プレートの上面を示す斜視図である。
【図１４】図１２の容器の底面に装着されるギヤポンプ及び洗剤検知センサの分解斜視図である。
【図１５】図１２の一部切開斜視図である。
【図１６】図１１に示す容器収容部の内部構成を示す斜視図である。
【図１７】本発明のさらに他の実施形態による洗濯機を示す斜視図である。
【図１８】本発明のさらに他の実施形態による自動洗剤供給装置を示す斜視図である。
【図１９】図１８の洗剤ボックスの内部構造を示す斜視図である。
【図２０】図１９のディスペンサハウジングの外観を示す斜視図である。
【図２１】図１９の液体洗剤貯蔵部において開閉プレートが開放された状態を示す斜視図である。
【図２２】図２０の液体洗剤貯蔵部に備えられたポンピング手段及び駆動部の分解斜視図である。
【図２３】本発明のさらに他の実施形態による液体洗剤貯蔵部における液体洗剤移動経路を示す断面図である。
【図２４】本発明のさらに他の実施形態による粉末洗剤貯蔵部における粉末洗剤が溶解した洗濯水の移動経路を示す断面図である。
【発明を実施するための形態】
【００７４】
以下、添付図面を参照して本発明による洗濯機についてより詳細に説明する。本明細書においては、異なる実施形態であっても同一又は類似の構成要素には同一又は類似の符号を付し、その説明は省略する。本明細書で使用される単数の表現は、文脈上明らかに他の意味を表すものでない限り、複数の表現を含む。
【００７５】
図１は本発明の一実施形態による洗濯機を示す斜視図であり、図２は図１のＩ方向から見た断面図である。
【００７６】
図１及び図２を参照すると、本発明の一実施形態による洗濯機は、洗濯機の外観を形成するキャビネット１１０を含む。キャビネット１１０は略直方体形状を有する。キャビネット１１０の上面には、洗濯機を操作するための各種操作手段１１２及び洗濯機の動作状態を使用者に知らせるためのディスプレイ装置１１４がそれぞれ装着されるコントロールパネル１１６が備えられる。もちろん、コントロールパネル１１６の構成はこれに限定されるものではなく、ディスプレイ装置１１４がタッチスクリーンで備えられて制御命令の入力を受けるようにしてもよい。
【００７７】
制御部は、コントロールパネル１１６及び洗濯機の部品とそれぞれ電気的に接続され、コントロールパネル１１６を介して入力される制御命令及び予め保存されているプログラムに基づいて前記部品を制御する。また、前記制御部は、洗濯機の動作に関する様々な情報をコントロールパネル１１６に送ってディスプレイ装置１１４に表示させる。
【００７８】
キャビネット１１０の前面上側には、洗濯物をドラム１２０に投入するための通路である投入口１１１が形成される。投入口１１１はドラム１２０の内部に連通する。投入口１１１を介して、洗濯物をドラム１２０に投入したりドラム１２０から取り出すことができる。ドア１１８は、キャビネット１１０の前面に回転可能にヒンジ結合され、投入口１１１を開閉する。
【００７９】
投入口１１１の下方には、洗剤ディスペンサ２００が設けられてもよい。投入口１１１は、キャビネット１１０の前面部において上方に偏って配置されてもよい。よって、投入口の高さが従来の洗濯機の投入口より高くなり、使用者が腰を大きく曲げずに洗濯物を投入したり取り出すことができるので、洗濯物の投入及び取り出しが容易である。
【００８０】
洗剤ディスペンサ２００の収納のために、キャビネット１１０の前面には、投入口１１１の下方に洗剤ディスペンサ２００を収納するための収納孔１０１が形成されてもよい。
【００８１】
キャビネット１１０の内部には、洗濯を行うために必要な構成要素が備えられる。図２を参照すると、キャビネット１１０の内部に形成される収容空間には、洗濯水を貯蔵する円筒状のタブ１３０、タブ１３０の内部に回転可能に設けられるドラム１２０が備えられる。
【００８２】
タブ１３０は、略円筒状からなり、タブ１３０の前面が開放されて投入口１１１に連結される。また、タブ１３０の前面部と投入口１１１間には、タブ１３０の前方と投入口１１１の周辺を密閉するガスケット１３７が備えられる。タブ１３０は、前面の高さが背面の高さより高くなるように、キャビネット１１０の底面に対して傾斜して配置される。
【００８３】
タブ１３０の前面のほうが高く位置するようにタブ１３０が傾斜して配置された場合、洗濯物を投入する際に、使用者が投入口１１１からドラム１２０の背面までを見ることができ、投入口１１１がキャビネット１１０の上側に形成されるので洗濯物の投入が容易であるという効果がある。また、タブ１３０の前面のほうが背面より高く位置するので、タブ１３０の前面下方に洗剤ディスペンサ２００を設置できる十分な空間を設けることができる。
【００８４】
タブ１３０の底面には洗剤流入口１３１が形成されてもよい。洗剤流入口１３１は、後述する第１洗剤供給流路に連通するように連結されてもよい。また、タブ１３０は、キャビネット１１０の内部に設けられるスプリング（図示せず）とダンパ（図示せず）により支持されるようにしてもよい。
【００８５】
ドラム１２０には複数の貫通孔が形成されており、洗濯水がドラム１２０を通過してタブ１３０に移動したり、タブ１３０からドラム１２０に流入することができる。ドラム１２０の内面には、洗濯物を上昇させることができるように複数のリフトが備えられる。
【００８６】
タブ１３０の後部には、ドラム１２０を駆動するための駆動部１４０が設けられる。駆動部１４０は、ステータ１４１及びロータ１４３を含み、回転軸１４５によりドラム１２０に連結されて回転力をドラム１２０に伝達する。回転軸１４５はベアリングにより支持され、回転軸１４５とドラム１２０の連結部には洗濯水がドラム１２０から漏れないように密閉するシール部材が備えられる。
【００８７】
図３は本発明による手動洗剤供給部２００ａを示す背面斜視図であり、図４は図３においてポンプユニットが除去された状態の分解斜視図であり、図５は図３の洗剤ディスペンサ２００の回転動作状態を示す側面図である。
【００８８】
洗剤ディスペンサ２００は、ディスペンサケース２１０と、ディスペンサケース２１０に装着される洗剤供給部とを含む。前記洗剤供給部は、手動洗剤供給部２００ａと自動洗剤供給部の少なくとも一方を含んでもよい。
【００８９】
図３〜図５に示す実施形態においては、ディスペンサケース２１０に手動洗剤供給部２００ａが装着された場合を示す。手動洗剤供給部２００ａは、ディスペンサケース２１０の上部に備えられて洗濯水を分配する分配板２２０と、分配板２２０の下部に備えられて洗剤が投入される洗剤投入部２３０と、洗剤投入部２３０の下部に備えられるホッパー部２３７とを含む。
【００９０】
洗剤投入部２３０は、上方に開口し、開口した上面から洗剤が投入されて貯蔵される投入空間２３５を備える。洗剤投入部２３０は、隔壁２３１により複数に区画され、そのうち１つは本洗濯用洗剤投入空間として用いられ、他の１つは予備洗濯用洗剤投入空間として用いられるようにしてもよい。前記本洗濯用洗剤投入空間に柔軟剤などの濯ぎ用洗剤が投入される濯ぎ用洗剤投入部２２３が別途備えられるようにしてもよい。
【００９１】
前記洗剤が投入される投入空間２３５は、異なる大きさに形成されてもよい。
【００９２】
投入空間２３５は、複数備えられ、使用者が洗剤を投入する際に、洗濯物量に比例して適切な大きさの投入空間２３５を選択したり、洗剤を投入する投入空間２３５の数を調節して直観的に洗剤量を調節することができる。
【００９３】
分配板２２０は、その背面に洗濯水が流入する洗濯水流入部２２１と、洗濯水流入部に連通して形成されて流入した洗濯水を分配するように複数に分岐して形成される分配流路と、分配流路の底面に洗剤投入部２３０に連通して形成される給水孔とを備える。給水源から供給される洗濯水は洗濯水流入部２２１を介して分配板２２０の内部に流入して分配板２２０内部の分配流路に分配され、分配された洗濯水は分配流路の給水孔から洗剤投入部２３０に噴射及び供給される。
【００９４】
ここで、洗剤ディスペンサ２００が開いた状態では使用者が手動洗剤供給部２００ａの洗剤投入部２３０に洗剤を投入することができ、洗剤ディスペンサ２００が閉じた状態では洗濯水と洗剤が洗剤投入部の内部で混合される。
【００９５】
洗剤ディスペンサ２００は、回転させてキャビネット１１０の前面から引き出すことができるように形成される。このために、ディスペンサケース２１０は、キャビネット１１０の前面に回転可能に締結される。
【００９６】
ディスペンサケース２１０は、前記洗剤ディスペンサを収納するための収納孔１０１によりキャビネット１１０に収納される。ディスペンサケース２１０は、キャビネットの前面パネルのうち投入口の下方に位置する下部パネルの全体又はその一部を形成する前面プレートと、前記前面プレートの両端部から後方に延びる側面プレートと、前記前面プレートの上端部が前後方向に回転可能になるように前記側面プレートの下端部に形成されて前記キャビネットに結合されるヒンジ軸２１３とを含んでもよい。また、前記前面プレートの後方には、前記側面プレートの後端部を連結して前記自動洗剤供給部の容器などを囲むようにガイドプレートが形成され、前記自動洗剤供給部の容器などの挿入をガイドするようにしてもよい。
【００９７】
ヒンジ軸２１３は、キャビネット１１０の前面下端に回転可能に締結される。ヒンジ軸２１３は、キャビネット１１０の横方向に延びてキャビネット１１０に結合され、ディスペンサケース２１０をキャビネット１１０の前後方向に回転可能にする。よって、洗剤ディスペンサ２００は、キャビネット１１０の前方に向かって回転するとディスペンサケース２１０の上部に形成された洗剤投入部２３０が開放され、キャビネット１１０の後方に向かって回転すると収納孔１０１に収容されて洗剤投入部２３０が閉鎖される。
【００９８】
図４を参照すると、ディスペンサケース２１０の側面には、ガイド溝２１２がさらに形成され、回転する洗剤ディスペンサ２００をガイド及び支持する。収納孔１０１の側面には、ガイド溝２１２に対応する部分にガイド突起（図示せず）が形成され、ガイド溝２１２に挿入される。ディスペンサケース２１０には、洗剤ディスペンサ２００が閉じたときに背面に配置される構成品、例えば洗剤投入部２３０及び洗剤投入部２３０に連結された第１洗剤供給流路１５４の配管などを保護する保護壁２１５がさらに含まれる。保護壁２１５は、洗剤ディスペンサ２００の背面を塞ぐように配置され、洗剤ディスペンサ２００が閉じると洗剤ディスペンサ２００の背面が保護壁２１５に収容される。
【００９９】
分配板２２０は、洗剤投入部２３０を覆うように洗剤投入部２３０の上部に配置される蓋体２２２を備える。分配板２２０及び蓋体２２２は、キャビネット１１０の内部に固定され、洗剤ディスペンサ２００が開いた状態では洗剤投入部２３０から分離し、洗剤ディスペンサ２００が閉じた状態では蓋体２２２により洗剤投入部２３０の上面を覆う。蓋体２２２は保護壁２１５の上縁部から洗剤投入部２３０の上部まで延びており、洗濯水が保護壁２１５の外に漏れないようにする。
【０１００】
図５は図１の洗剤ディスペンサ２００の回転状態を示す側面図である。図５に示すように、洗剤ディスペンサ２００は、ディスペンサケース２１０の上部に形成される洗剤投入部２３０がキャビネット１１０の外部に露出する開放位置とキャビネット１１０の内部に収納される収納位置との間で回転可能に装着される。洗剤ディスペンサ２００が収納孔１０１から開放位置に引き出された状態を実線で示し、収納孔１０１に収納された状態を点線で示す。
【０１０１】
図５を参照すると、洗剤投入部２３０の底面２３２に出水口２３６が形成される。出水口２３６は、底面２３２においてキャビネット１１０の後方に偏って形成され、底面２３２は、出水口２３６に近づくほど低くなるように傾斜しており、洗剤ディスペンサ２００が引き出された状態では出水口２３６が形成された部分が底面２３２より高くなる。また、底面２３２は、洗剤ディスペンサ２００がキャビネット１１０に収納された状態では出水口２３６が形成された部分がそれ以外の部分より低くなるように、出水口２３６側に近づくほど下方に傾斜して形成される。ただし、底面２３６は、肉眼で明らかに傾斜していなくてもよく、重力により流体が出水口２３６側に流れるほどの傾斜度を有するだけでよい。
【０１０２】
前述した構成の態様においては、洗剤ディスペンサ２００が開いた状態で洗剤投入部２３０に洗剤を投入する際に、図５に示すように出水口２３６の位置が底面２３２より高くなるので、投入された洗剤が出水口２３６に流出しない。また、洗剤ディスペンサ２００がキャビネット１１０に収納された状態では、底面２３２が出水口２３６に向かって傾斜しているので、重力により洗剤が洗濯水と共に出水口２３６側に流れる。
【０１０３】
出水口２３６は、洗剤投入部２３０の後方面と底面２３２の境界線に沿って延びて形成されてもよい。出水口２３６により投入空間２３５とホッパー部２３７が連通する。
【０１０４】
ホッパー部２３７は、洗剤投入部２３０の下部に備えられ、出水口２３６から落下する洗剤及び洗濯水が混合されて一時的に貯蔵される空間である。ホッパー部２３７の底面は延長部２３９に向かって傾斜して形成され、洗濯水が延長部２３９に溜まるようにする。
【０１０５】
図５を参照すると、延長部２３９は、ホッパー部２３７の底面に形成され、いずれか一方に偏って形成される。すなわち、洗剤ディスペンサ２００の回転方向を洗剤ディスペンサ２００の幅方向とすると、延長部２３９は、前記幅方向において後方に偏って形成される。また、ホッパー部２３７の底面は、延長部２３９に向かって下方に傾斜して形成され、出水口２３６からホッパー部２３７に流入した洗濯水が延長部２３９に誘導される。さらに、延長部２３９は、洗剤が混入された洗濯水をタブ１３０に供給するための流路１５４に連結される。
【０１０６】
キャビネット１１０の内部には、給水源の洗濯水をタブ１３０に直接供給するための第１給水流路１５３と、給水源の洗濯水を洗剤ディスペンサ２００に供給するための第２給水流路１５２の少なくとも一方の給水流路が含まれてもよい。第１給水流路１５３と第２給水流路１５２の少なくとも一方に給水バルブ１５１を設けることにより、第１給水流路１５３及び／又は第２給水流路１５２を開閉するようにしてもよい。給水バルブ１５１は、給水源から洗剤ディスペンサ２００に供給される洗濯水の量を調整することができる。図２に示す実施形態においては、給水源の洗濯水を洗剤ディスペンサ２００に供給する第２給水流路１５２を示す。
【０１０７】
キャビネット１１０の内部には、洗剤ディスペンサ２００の洗剤をタブ１３０に供給するための連結流路が含まれる。連結流路は、洗剤ディスペンサ２００の洗剤をタブ１３０の底面に供給するための第１洗剤供給流路１５４、１５６と、洗剤ディスペンサ２００の洗剤をタブ１３０の底面を除くタブ１３０の残りの一部に供給するための第２洗剤供給流路の少なくとも一方の洗剤供給流路を含んでもよい。
【０１０８】
キャビネット１１０の内部には、タブ１３０に貯蔵された洗濯水をキャビネット１１０の外部に排出するための排水流路１６３が含まれてもよい。
【０１０９】
前述したように構成された流路によれば、給水源の洗濯水は、第１給水流路を介してタブ１３０に直接供給されるか、第２給水流路１５２を介して洗剤ディスペンサ２００に供給される。図２に示す第２給水流路１５２によれば、給水源の洗濯水が洗剤ディスペンサ２００に供給される。
【０１１０】
洗剤ディスペンサ２００の洗剤は、第１洗剤供給流路１５４、１５６を介してタブ１３０の底面に供給されるか、第２洗剤供給流路を介してタブの底面を除く残りの一部、例えばタブ１３０の上部又はガスケット１３７の上部に供給される。図２に示す洗剤供給流路１５４、１５６によれば、洗剤が第１洗剤供給流路１５４、１５６を介してタブ１３０の底面に供給される。
【０１１１】
第１洗剤供給流路１５４、１５６は、タブ１３０に貯蔵された洗濯水を洗剤ディスペンサ２００に流したり洗剤ディスペンサ２００の洗剤をタブ１３０の底面に流すために、タブ１３０の底面と洗剤ディスペンサ２００を連結するようにしてもよい。第１洗剤供給流路１５４、１５６は、洗剤ディスペンサ２００の洗剤が排水ポンプ１６０を経由してタブ１３０の底面に供給されるように、２つの流路１５４、１５６で構成されてもよい。例えば、２つの第１洗剤供給流路１５４、１５６のうち、一方の第１洗剤供給流路１５４は、洗剤ディスペンサ２００と排水ポンプ１６０を連結するようにしてもよい。他方の第１洗剤供給流路１５６は、排水ポンプ１６０とタブ１３０を連結するようにしてもよい。これにより、洗剤ディスペンサ２００の洗剤が排水ポンプ１６０を経てタブ１３０の底面に供給されるようにすることができる。排水ポンプ１６０とタブ１３０を連結する第１洗剤供給流路１５６は、ベローズ状の管で形成されてもよい。
【０１１２】
洗剤ディスペンサ２００には、洗濯洗剤、柔軟剤、漂白剤などの洗剤が収容され、給水源の洗濯水が第２給水流路１５２を介して洗剤ディスペンサ２００を経由することにより洗剤と洗濯水が混合される。
【０１１３】
図５に示す延長部２３９から吐出される洗濯水は、図３に示す第１洗剤供給流路１５４を介して排水ポンプ１６０に供給され、その後排水ポンプ１６０とタブ１３０を連結する第１洗剤供給流路１５６を介してタブ１３０の底面に形成された洗剤流入口１３１に供給される。ここで、洗剤流入口１３１は、タブ１３０の排水口とは別に形成されてもよく、タブ１３０の排水口及び洗剤流入口兼用で用いられてもよい。
【０１１４】
また、排水ポンプ１６０は、キャビネット１１０の外部に延びる排水流路１６３とも連結される。排水流路１６３にはバルブ１６１が備えられ、排水ポンプ１６０から吐出される洗濯水が第１洗剤供給流路１５６又は排水流路１６３に選択的に供給されるようにする。すなわち、排水ポンプ１６０から吐出される洗濯水を第１洗剤供給流路１５６に供給する場合、前記制御部はバルブ１６１を閉じる。また、排水ポンプ１６０から吐出される洗濯水を排水流路１６３に供給する場合、前記制御部はバルブ１６１を開く。
【０１１５】
ここで、バルブ１６１が閉じた場合、洗剤ディスペンサ２００を通過した洗濯水又は洗剤が混入された洗濯水が給水源からの給水圧力により排水ポンプ１６０及び第１洗剤供給流路１５６を経てタブ１３０の底面に形成された洗剤流入口１３１からタブ１３０に流入する。
【０１１６】
また、バルブ１６１が開いた場合、タブ１３０から洗濯水又は洗剤が混入された洗濯水が排水ポンプ１６０のポンピング力により排水流路１６３を介してキャビネット１１０の外部に排水される。
【０１１７】
よって、洗剤ディスペンサ２００を通過した洗濯水又は洗剤が混入された洗濯水がタブ１３０の下部に備えられた第１洗剤供給流路１５６と排水ポンプ１６０を経て前記タブの底面に供給されるか、タブ１３０に貯蔵された洗濯水が排水されるので、構成が簡単である。また、排水ポンプ１６０を通過する間に洗剤が洗濯水に容易に溶解するので、タブ１３０に供給されるときに洗剤がほとんど洗濯水に溶解した状態で供給されるという効果がある。
【０１１８】
図２を参照すると、第１洗剤供給流路１５４には、タブから排出される洗濯水又は洗剤が混入された洗濯水が前記洗剤ディスペンサに逆流することを防止するために、逆流防止手段１７０がさらに備えられてもよい。逆流防止手段１７０としてはチェックバルブ１６１などを用いることができる。ただし、逆流防止手段１７０の設置位置がこれに限定されるものではなく、延長部２３９に設けられてもよく、ホッパー部２３７に設けられてもよい。
【０１１９】
逆流防止手段１７０が延長部２３９又はホッパー部２３７に設けられた場合、前記チェックバルブに加え、延長部２３９又はホッパー部２３７に洗濯水が所定高さ以上となると浮きが浮上して延長部２３９を閉塞するように構成されてもよい。
【０１２０】
図６は本発明の他の実施形態による洗濯機を示す断面図である。
【０１２１】
図６に示す実施形態においては、洗濯水をタブ１３０に直接供給するための第１給水流路１５３及び洗濯水を洗剤ディスペンサ２００に供給するための第２給水流路１５２を含む。その他の構成要素については、前述した本発明の一実施形態の構成要素と同一又は類似するので、説明の明瞭性のために省略する。
【０１２２】
第１給水流路１５３は、洗剤ディスペンサ２００を経由せずに給水源の洗濯水をタブ１３０に直接供給する。ここで、第１給水流路１５３は、逆流防止手段１７０の高さより高い位置でタブ１３０に洗濯水を供給する。このような第１給水流路１５３は、タブ１３０の上面に連結されてもよく、ガスケット１３７に連結されてタブ１３０の内部に洗濯水を供給するようにしてもよい。
【０１２３】
前述した構成の態様においては、第１洗剤供給流路１５４、１５６及び排水ポンプ１６０によってのみ洗濯水を供給するのではなく、排水ポンプ１６０によりタブ１３０の下部に洗濯水を供給して第１給水流路１５３を介してタブ１３０の上部に洗濯水を供給することにより、多量の洗濯水を円滑に供給できるという効果がある。
【０１２４】
ここで、前記制御部は、洗濯水が第１洗剤供給流路１５６を介して逆流防止手段１７０の高さまで供給された後に第１給水流路１５３を介して供給されるように、排水ポンプ１６０、バルブ１６１、給水バルブ１５１などを制御することができる。ただし、逆流防止手段１７０は、図６に示す設置位置に限定されるものではなく、タブ１３０の底面の高さより高いか少なくとも同じ位置に設けられてもよい。
【０１２５】
前述した構成の態様においては、逆流防止手段１７０が設けられた高さまでは排水ポンプ１６０を介して洗剤が混入された洗濯水をタブ１３０の底面に供給し、タブ１３０の底面に逆流防止手段１７０の高さまで洗濯水が満たされると第１給水流路１５３を介して洗濯水を供給することにより、排水ポンプ１６０のポンピング力が多少小さくても無理なく洗濯水をタブ１３０に供給することができる。
【０１２６】
図７は本発明のさらに他の実施形態による洗濯機を示す斜視図であり、図８は図７のＩＩＩ方向から見た断面図である。図９は本発明による手動洗剤供給部２００ａ及び自動洗剤供給部２００ｂがディスペンサケース２１０に装着された状態を示す背面斜視図であり、図１０は図９の手動洗剤供給部２００ａから分配板２２０が分解された状態を示す分解斜視図である。図１１は本発明による自動洗剤供給部２００ｂにおいて容器２５０ａ、２５０ｂが容器収容部２６０に装着されている状態を示す斜視図であり、図１２は図１１に示す容器２５０ａ、２５０ｂの底面斜視図である。図１３は図１２の容器２５０ａ、２５０ｂの底面に装着される流路形成プレート２８０の上面を示す斜視図である。図１４は図１２の容器２５０ａ、２５０ｂの底面に装着されるギヤポンプ及び洗剤検知センサの分解斜視図であり、図１５は図１２の一部切開斜視図であり、図１６は図１１に示す容器収容部２６０の内部構成を示す斜視図である。
【０１２７】
本発明による洗剤ディスペンサ２００’は、自動洗剤供給部２００ｂと手動洗剤供給部２００ａの少なくとも一方の洗剤供給部を含む。例えば、洗剤ディスペンサ２００’は、自動洗剤供給部２００ｂのみを含んでもよく、手動洗剤供給部２００ａのみを含んでもよく、両方２００ａ、２００ｂとも含んでもよい。
【０１２８】
図１１〜図１６を参照して自動洗剤供給部について説明する。
【０１２９】
自動洗剤供給部２００ｂは、洗剤が貯蔵される複数の容器２５０ａ、２５０ｂと、容器２５０ａ、２５０ｂの排出口２５２から排出される液体洗剤を予め定められた量だけ選択的に吐出するポンピング手段と、容器２５０ａ、２５０ｂが載置されるように載置部２６１を備える容器収容部２６０とを含む。
【０１３０】
２つの容器２５０ａ、２５０ｂは、異なる容量で形成されてもよく、異なる形状で形成されてもよい。また、容器２５０ａ、２５０ｂは、異なる種類の洗濯物の処理のための液状流体がそれぞれ貯蔵されていて必要に応じて選択的に洗濯水に供給されるように構成されてもよい。もちろん、容器２５０ａ、２５０ｂは１つだけ備えられてもよい。
【０１３１】
例えば、２つの容器２５０ａ、２５０ｂのうち、少なくとも一方の容器２５０ａには本洗濯時に用いられる本洗濯用洗剤が貯蔵され、他方の容器２５０ｂには予備洗濯時に用いられる予備洗濯用洗剤又は濯ぎ時に用いられる柔軟剤が貯蔵されるようにしてもよい。
【０１３２】
使用者が容器２５０ａ、２５０ｂを手で握ることができるように、容器２５０ａ、２５０ｂの上面に取っ手が備えられており、容器２５０ａ、２５０ｂの運搬とディスペンサケース２１０の挿入及び引き出しが容易であるという利点がある。
【０１３３】
容器２５０ａ、２５０ｂの下部は容器収容部２６０に着脱可能に結合される。また、容器２５０ａ、２５０ｂが容器収容部２６０に挿入される空間を限定し、容器２５０ａ、２５０ｂの挿入をガイドするように、容器収容部２６０に容器支持フレームがさらに備えられてもよい。容器支持フレームは、容器収容部２６０の縁面と同じ形状を有するようにしてもよい。
【０１３４】
容器２５０ａ、２５０ｂの基本的な構成は同様であるので、以下では右側に示される容器２５０ａを中心に説明する。
【０１３５】
図１５を参照すると、容器２５０ａの内部には洗剤が貯蔵される貯蔵空間が形成され、容器２５０ａの上部には外部から前記貯蔵空間に洗剤を供給するための注入口２５１が形成される。図１４を参照すると、容器２５０ａの底面には前記洗剤が排出される排出口２５２が形成される。
【０１３６】
自動洗剤供給部２００ｂは、容器２５０ａの底面に排出口２５２を覆うように結合される流路形成プレート２８０を含む。
【０１３７】
容器２５０ａの底面には、流路形成プレート２８０が収容されて締結される装着部２５５が形成される。排出口２５２は装着部２５５の一側に形成される。
【０１３８】
図１３を参照すると、流路形成プレート２８０は、排出口２５２に対向する面（以下、流路形成プレートの上面という）２８０ｂに形成される流入部２８１と、ポンピング手段により移送された液体洗剤が吐出される吐出部２８２と、流入部２８１に流入した液体洗剤が吐出部２８２に移動できるように流入部２８１と吐出部２８２を連結する供給流路と、前記ポンピング手段が収容されるように前記供給流路上に形成される収容空間２５４、２８１ａとを備えてもよい。
【０１３９】
また、前記ポンピング手段は、流路形成プレート２８０の流入部２８１に流入した液体洗剤を吐出部２８２に送出するギヤポンプで構成されてもよい。
【０１４０】
流入部２８１は、流路形成プレート２８０の上面２８０ｂに溝状に形成されて前記収容空間に連通し、排出口２５２から排出された洗剤を前記収容空間のギヤポンプの内部にガイドする。
【０１４１】
前記供給流路は、排出口２５２と吐出部２８２を連結するように装着部２５５に形成される第１流路形成溝２５３と、流入部２８１と吐出部２８２を連結するように流路形成プレート２８０の上面に形成される第２流路形成溝２８３とから構成される。
【０１４２】
前記ギヤポンプが収容される収容空間２５４、２８１ａは、排出口２５２と第１流路形成溝２５３間に形成される第１収容空間２５４と、流入部２８１と第２流路形成溝２８３間に形成される第２収容空間２８１ａとから構成される。
【０１４３】
前記ギヤポンプは互いに噛み合う第１ギヤ２８４及び第２ギヤ２８５を含み、第１ギヤ２８４及び第２ギヤ２８５は第１及び第２収容空間２５４、２８１ａに収容される。ここで、第１ギヤ２８４及び第２ギヤ２８５の回転軸は、第１及び第２収容空間２５４、２８１ａにそれぞれ回転可能に結合される。第１ギヤ２８４の回転軸は、第１収容空間２５４を貫通して容器２５０ａの内部に突出するように延び、後述するアジテータ２９６に動力を伝達する。
【０１４４】
また、第２ギヤ２８５の回転軸は、第２収容空間２８１ａを貫通して流路形成プレート２８０の底面２８０ａの外部に延びてカプラーの従動ギヤ２８６に連結され、前記カプラーの従動ギヤ２８６から動力が伝達される。
【０１４５】
よって、前記ポンピング手段により、予め定められた量の洗剤が吐出部２８２から選択的に吐出されるようにすることができる。また、洗剤が多少固まった場合も、第１ギヤ２８４と第２ギヤ２８５間を通過しながら粉砕されるので、洗濯水に容易に溶解するという効果がある。
【０１４６】
図１４及び図１５を参照すると、第２ギヤ２８５の回転軸には、供給流路２５３、２８３を流れる洗剤が第２ギヤ２８５の回転軸に漏れることを防止するシール部材２８９がさらに設けられる。ここで、シール部材２８９は、前記カプラーの従動ギヤ２８６と流路形成プレート２８０の底面２８０ａ間に備えられてもよい。前記カプラーについては後述する。
【０１４７】
容器収容部２６０は、容器２５０ａ、２５０ｂが載置される載置部２６１と、前記ポンピング手段を駆動する駆動部２６５ａ、２６５ｂとを含む。載置部２６１には容器２５０ａ、２５０ｂの底面が収容され、前記カプラーにより前記ポンピング手段と駆動部２６５ａ、２６５ｂが連結される。このために、載置部２６１は、容器２５０ａ、２５０ｂの底面のシルエットと同じ面積を有する溝状に形成される。
【０１４８】
載置部２６１には駆動部収容部２６３とボス部２６２ａ、２６２ｂが形成される。駆動部収容部２６３には駆動部２６５ａ、２６５ｂが収納されて設けられる。ここで、駆動部２６５ａ、２６５ｂは前述したギヤポンプに対応する位置に設けられる。
【０１４９】
また、ボス部２６２ａ、２６２ｂは吐出部２８２に対応する位置に設けられ、容器２５０ａ、２５０ｂが載置部２６１に載置されると、吐出部２８２がボス部２６２ａ、２６２ｂに挿入されてボス部２６２ａ、２６２ｂにより支持される。
【０１５０】
駆動部２６５ａ、２６５ｂは、容器２５０ａ、２５０ｂの数に対応して２つ備えられ、以下では左側の駆動部２６５ｂを中心に説明する。駆動部２６５ｂは、駆動部収容部２６３に固定されるモータハウジングと、前記モータハウジングに収納される駆動モータとを含む。前記モータハウジングの上面には前記カプラーが収容されるカプラー収容部２６９が溝状に形成され、前記駆動モータの駆動軸２６７がカプラー収容部２６９の上面に突出する。
【０１５１】
前記カプラーは、駆動ギヤ２８７と従動ギヤ２８６とを含み、前記ポンピング手段と駆動部２６５ａ、２６５ｂを連結する。具体的には、駆動軸２６７は駆動ギヤ２８７の中心部に形成された軸挿入孔に挿入され、駆動ギヤ２８７が駆動軸２６７と共に回転可能に結合される。よって、駆動軸２６７が回転すると、駆動軸２６７に結合された駆動ギヤ２８７も共に回転する。
【０１５２】
従動ギヤ２８６は、流路形成プレート２８０の底面で第２ギヤ２８５の回転軸に連結される。また、従動ギヤ２８６は、容器２５０ｂが載置部２６１に載置されると、カプラー収容部２６９に収容されて駆動ギヤ２８７と噛み合う。これにより、駆動ギヤ２８７が回転すると、それに噛み合って従動ギヤ２８６が回転し、従動ギヤ２８６と同じ回転軸で連結された第２ギヤ２８５が回転する。よって、前記ポンピング手段である前記ギヤポンプが回転することにより、予め定められた量の洗剤が吐出部２８２に吐出される。
【０１５３】
吐出部２８２から吐出された洗剤は容器収容部２６０の内部で洗濯水と混合される。このために、容器収容部２６０は、洗濯水が流入する給水口２７７ａと、洗濯水又は洗剤が混入された洗濯水が流出する排水口２７７ｂと、吐出部２８２を収容して吐出部２８２の周面を支持するボス部２６２ｂと、内部に洗濯水が流れ、給水口２７７ａと排水口２７７ｂを連結する内部流路２７３とを含む。
【０１５４】
内部流路２７３は、ボス部２６２ｂの下部を通過し、ボス部２６２ｂに挿入された吐出部２８２の下部に連通するように形成され、吐出部２８２から吐出された洗剤が内部流路２７３に流入することにより洗濯水と洗剤が混合される。ここで、洗剤が混入された洗濯水は内部流路２７３からタブ１３０の内部に供給される。
【０１５５】
自動洗剤供給部２００ｂとタブ１３０は連結流路により連結されるようにしてもよい。前記連結流路は、タブ１３０に貯蔵された洗濯水が自動洗剤供給部２００ｂに供給されるか、自動洗剤供給部２００ｂに貯蔵された洗剤がタブ１３０に供給されるように、洗剤ディスペンサ２００’とタブ１３０を連結する。
【０１５６】
前記連結流路は、洗剤が洗剤ディスペンサ２００’からタブ１３０の底面に供給されるように洗剤ディスペンサ２００’とタブ１３０の底面を連結する第１洗剤供給流路と、洗剤が洗剤ディスペンサ２００’からタブ１３０の底面を除くタブ１３０の残りの一部に供給されるように洗剤ディスペンサ２００’とタブ１３０の残りの一部を連結する第２洗剤供給流路１５５ｂとを含んでもよい。
【０１５７】
タブ１３０の底面に洗剤流入口１３１が形成され、第１洗剤供給流路１５４、１５６の洗剤が洗剤流入口１３１に流入するようにしてもよい。タブ１３０の残りの一部は、例えば、投入口１１１とタブ１３０の前方部を連結するガスケット１３７の一部であってもよい。第２洗剤供給流路１５５ｂの一端部は自動洗剤供給部２００ｂの排水口２７７ｂに連結され、第２洗剤供給流路１５５ｂの他端部にノズル１３５が設けられ、ノズル１３５はガスケット１３７の上部に固定結合されるようにしてもよい。
【０１５８】
このように構成された自動洗剤供給部２００ｂの洗剤は、前記第１洗剤供給流路と第２洗剤供給流路１５５ｂの少なくとも一方の流路を介してタブ１３０に供給することができる。
【０１５９】
例えば、自動洗剤供給部２００ｂの洗剤は、前記第１洗剤供給流路を介してタブ１３０の底面に供給することができる。前記第１洗剤供給流路が自動洗剤供給部２００ｂの給水口２７７ｂとタブ１３０の洗剤流入口１３１を連結することにより、タブ１３０に貯蔵された洗濯水が前記第１洗剤供給流路を介して自動洗剤供給部２００ｂの給水口及び内部流路２７３を経てボス部２６２ａ、２６２ｂに流入し、自動洗剤供給部２００ｂの洗剤が吐出部２８２からボス部２６２ａ、２６２ｂに予め定められた量だけ吐出されて洗濯水と混合され、洗剤が混入された洗濯水がタブ１３０の底面に供給されるようにすることができる。
【０１６０】
あるいは、自動洗剤供給部２００ｂの洗剤は、第２洗剤供給流路１５５ｂを介してタブ１３０の残りの一部、例えばタブ１３０の前方部に備えられたガスケット１３７に設けられたノズル１３５からタブ１３０及びドラム１２０に供給することができる。
【０１６１】
あるいは、自動洗剤供給部２００ｂの洗剤は、前記第１洗剤供給流路及び第２洗剤供給流路１５５ｂを介してタブ１３０の底面及び残りの一部に供給することができる。
【０１６２】
自動洗剤供給部２００ｂの洗剤は、吐出部２８２からボス部２６２ａ、２６２ｂに予め定められた量だけ吐出されて洗濯水と混合され、洗剤が混入された洗濯水は、自動洗剤供給部２００ｂの排水口２７７ｂとタブ１３０のガスケット１３７を連結する第２洗剤供給流路１５５ｂを移動してタブ１３０のガスケット１３７の上部に固定された第２洗剤供給流路１５５ｂのノズル１３５からタブ１３０及びドラム１２０の内部に噴射されるようにすることができる。ここで、循環ポンプ１８０がキャビネット１１０の内部に設けられ、循環ポンプ１８０の一部の流路が自動洗剤供給部２００ｂの内部流路２７３に連結され、洗剤が循環ポンプ１８０のポンピング力により第２洗剤供給流路１５５ｂを移動するようにすることができる。
【０１６３】
ここで、容器２５０ａ、２５０ｂの挿入及び取り出しをガイドする容器支持フレーム（図示せず）は、ディスペンサケース２１０とは別にキャビネット１１０の内部に設けられてもよい。
【０１６４】
図７〜図１０に示す実施形態は、前述した洗剤ディスペンサ２００’の変形実施形態を含むものであり、同一の符号については説明を省略する。
【０１６５】
図７に示す洗剤ディスペンサ２００’は、ディスペンサケース２１０に前述した手動洗剤供給部２００ａと共に自動洗剤供給部２００ｂを含む。
【０１６６】
自動洗剤供給部２００ｂと手動洗剤供給部２００ａの少なくとも一方の洗剤は、第１洗剤供給流路１５４、１５６を介してタブ１３０の底面に供給することができる。あるいは、自動洗剤供給部２００ｂと手動洗剤供給部２００ａの少なくとも一方の洗剤は、第２洗剤供給流路１５５ｂを介してタブ１３０の残りの一部、例えばタブ１３０の前方部に備えられたガスケット１３７の上部に供給することができる。あるいは、自動洗剤供給部２００ｂと手動洗剤供給部２００ａの少なくとも一方の洗剤は、第１洗剤供給流路１５４、１５６及び第２洗剤供給流路１５５ｂを介してタブ１３０の底面及び残りの一部にそれぞれ供給することができる。
【０１６７】
洗剤ディスペンサ２００’には、第２給水流路１５２を介して給水源から洗濯水が供給されるか、第１洗剤供給流路１５４、１５６を介してタブ１３０から洗濯水が供給されるようにすることができる。また、洗剤ディスペンサ２００’が供給された洗濯水に洗剤を供給し、洗剤ディスペンサ２００’で洗剤が混入された洗濯水が第１洗剤供給流路１５４、１５６と第２洗剤供給流路１５５ｂの少なくとも一方の流路を介してタブ１３０の内部に供給されるようにすることができる。
【０１６８】
例えば、タブ１３０の底面が自動洗剤供給部２００ｂの容器収容部２６０より高い位置に配置され、第１洗剤供給流路１５４、１５６を介してタブ１３０から排出される洗濯水が重力及び位置エネルギーにより循環ポンプ１８０を経て自動洗剤供給部２００ｂの内部流路２７３に供給されるようにすることができる。
【０１６９】
また、手動洗剤供給部２００ａが投入口１１１の下方に位置し、給水源の洗濯水が給水圧力により第２給水流路１５２を介して手動洗剤供給部２００ａの分配板２２０に供給されるようにすることができる。
【０１７０】
図８を参照すると、前記給水源から供給される洗濯水は、洗剤ディスペンサ２００’の手動洗剤供給部２００ａに供給され、手動洗剤供給部２００ａの洗剤と混合され、その後第１洗剤供給流路１５４、１５６を介してタブ１３０の底面に供給されるようにすることができる。また、手動洗剤供給部２００ａを通過した洗濯水は、循環ポンプ１８０を経て自動洗剤供給部２００ｂに供給され、自動洗剤供給部２００ｂの洗剤と混合され、その後第２洗剤供給流路１５５ｂを介して例えばタブ１３０の上部に供給されるようにすることができる。
【０１７１】
しかし、洗剤供給部は、自動洗剤供給部２００ｂのみで構成されてもよく、手動洗剤供給部２００ａのみで構成されてもよい。自動洗剤供給部２００ｂのみで構成された場合、自動洗剤供給部２００ｂは、第１洗剤供給流路１５４、１５６を介してタブ１３０から送られた洗濯水に洗剤を投入してタブ１３０の底面に供給するか、第２洗剤供給流路１５５ｂを介してタブ１３０の残りの一部に供給することができる。
【０１７２】
ここで、自動洗剤供給部２００ｂの給水口２７７ａに第２給水流路１５２が連結されており、給水源の洗濯水が自動洗剤供給部２００ｂに供給されるか、第１洗剤供給流路１５４、１５６が自動洗剤供給部２００ｂの給水口２７７ａに連結されてタブ１３０に貯蔵された洗濯水が自動洗剤供給部２００ｂの内部流路２７３に供給されるようにすることができる。
【０１７３】
あるいは、手動洗剤供給部２００ａのみで構成された場合、手動洗剤供給部２００ａは、洗剤が混入された洗濯水を、第１洗剤供給流路１５４、１５６を介してタブ１３０の底面に供給するか、第２洗剤供給流路１５５ｂを介してタブ１３０の残りの一部に供給することができる。ここで、手動洗剤供給部２００ａの分配板２２０に第２給水流路１５２が連結されており、給水源の洗濯水が手動洗剤供給部２００ａに供給されるようにすることができる。
【０１７４】
図９に示す洗剤ディスペンサ２００’は、手動洗剤供給部２００ａ及び自動洗剤供給部２００ｂを含み、ディスペンサケース２１０の下部にポンプモジュール１９０が配置されるようにしてもよい。ポンプモジュール１９０は、洗剤ディスペンサ２００’を通過した洗濯水又は洗剤が混入された洗濯水をタブ１３０に循環させる循環ポンプ１８０と、タブ１３０を通過した洗濯水又は洗剤が混入された洗濯水をキャビネット１１０の外部に排出する排水ポンプ１６０とを含む。
【０１７５】
第１洗剤供給流路１５４は、手動洗剤供給部２００ａ、ポンプモジュール１９０及びタブ１３０を連結し、手動洗剤供給部２００ａから排出された洗濯水又は洗剤が混入された洗濯水がポンプモジュール１９０及びタブ１３０に供給されるようにすることができる。
【０１７６】
ポンプモジュール１９０の上流側には３方向の流路連結部を有する分岐管が配置される。前記分岐管において、１つの流路連結部は第１洗剤供給流路１５４に連結され、他の１つの流路連結部はポンプモジュール１９０に連結され、さらに他の１つの流路連結部はタブ１３０の洗剤流入口１３１に連結される。
【０１７７】
手動洗剤供給部２００ａを通過した洗濯水又は洗剤が混入された洗濯水は、第１洗剤供給流路１５４を介して前記分岐管に流入し、前記分岐管からポンプモジュール１９０の循環ポンプ１８０に流入する。また、循環ポンプ１８０の一側に連結配管１５５ａが備えられ、連結配管１５５ａは循環ポンプ１８０と自動洗剤供給部２００ｂの給水口を連結する。
【０１７８】
このように構成された流路によれば、循環ポンプ１８０のポンピング力により洗濯水が循環ポンプ１８０から連結配管１５５ａを介して自動洗剤供給部２００ｂの給水口２７７ａに流入し、給水口２７７ａに流入した洗濯水は、自動洗剤供給部２００ｂの内部流路２７３を移動してボス部２６２ａ、２６２ｂに流入し、ボス部２６２ａ、２６２ｂに流入した洗剤と混合され、その後排水口２７７ｂから第２洗剤供給流路１５５ｂに流出する。自動洗剤供給部２００ｂから流出した洗剤は、第２洗剤供給流路１５５ｂを移動してタブ１３０のガスケットの上部に固定されたノズル１３７からタブ１３０及びドラム１２０の内部に供給される。
【０１７９】
ここで、内部流路２７３は、洗剤が容易に混合されるようにジグザグ状に形成されてもよい。
【０１８０】
図１５を参照すると、容器２５０ａ内部の底面にアジテータ２９６が回転可能に設けられてもよい。ここで、アジテータ２９６は、第１ギヤ２８４の回転軸１４５に連結され、第１ギヤ２８４の回転時に共に回転して容器２５０ａ内部の洗剤を排出口２５２側に移送する。このために、アジテータ２９６に形成された翼は端部が排出口２５２側に延びて形成される。
【０１８１】
前述した構成の態様においては、洗剤が排出口２５２に容易に移動するという効果がある。また、前述した構成の態様においては、容器２５０ａに貯蔵された洗剤の下部層を掻き回すことにより、洗剤が固まったり沈んで層が生じることを防止するという効果がある。
【０１８２】
本発明のさらに他の実施形態として、図１４に示す容器２５０ａの底面には、貯蔵された洗剤の残量を確認するための水位検知手段がさらに備えられてもよい。前記水位検知手段は、洗剤に露出する一対の電極２９１と、一対の電極２９１に接続され、容器２５０ａの底面に設けられる容器側接続端子２９３と、容器側接続端子２９３と接触可能に容器収容部２６０に設けられる収容部側接続端子２９４とを含む。
【０１８３】
一対の電極２９１は、容器２５０ａの底面を貫通して形成された電極挿入孔２５７にそれぞれ挿入されて容器２５０ａの内部に露出する。容器側接続端子２９３は、容器２５０ａの底面に固定され、一端が容器２５０ａの内部に突出する。また、収容部側接続端子２９４は、容器側接続端子２９３に対応する位置で駆動部収容部２６３の内側面に設けられ、一端が載置部２６１の上面まで延びる。よって、前記貯蔵部が載置部２６１に載置されると、容器２５０ａの底面に配置された容器側接続端子２９３が収容部側接続端子２９４と接触する。収容部側接続端子２９４は、前記制御部に電気的に接続され、前記制御部は、一対の電極２９１に電流が流れない場合、洗剤供給が必要であることをディスプレイ装置１１４により表示するようにしてもよい。
【０１８４】
以下、図１７を参照して本発明のさらに他の実施形態による自動洗剤供給装置３１０が備えられた洗濯機３００について説明する。
【０１８５】
図１７は本発明のさらに他の実施形態による洗濯機３００を示す斜視図である。
【０１８６】
本発明のさらに他の実施形態による洗濯機３００は、キャビネット３０１、タブ、ドラム、リフト、及びドラム駆動用モータを含む。
【０１８７】
キャビネット３０１は洗濯機３００の外観を形成する。
【０１８８】
キャビネット３０１の前面に洗濯物投入口が備えられており、洗濯物を前記洗濯物投入口から前記ドラムの内部に投入することができる。
【０１８９】
また、キャビネット３０１の前面にドア３０２がヒンジ構造で結合されており、洗濯物を投入する際又は洗濯が完了した洗濯物を回収する際にドア３０２を開けて前記洗濯物投入口から洗濯物を投入し、洗濯する際にドア３０２を閉じて洗濯することができる。
【０１９０】
前記タブは、円筒状のものであって、キャビネット３０１の内部に水平に設けられ、内部に洗濯水貯蔵空間を備えて給水源から洗濯水の供給を受ける。
【０１９１】
前記ドラムは、前記タブの内部に回転可能に設けられ、内部に投入された洗濯物を洗濯することができる。
【０１９２】
前記ドラムは、側面に沿って複数の排水孔を備え、前記排水孔から前記タブに貯蔵された洗濯水又は洗剤が混入された洗濯水が前記ドラムの内部に流入したり、前記ドラム内部の水が前記タブの内部に流出することができる。
【０１９３】
前記リフトは、前記ドラムの内側面に円周方向に離隔して配置され、軸方向に長く固定設置され、前記ドラムと連動し、洗濯物が前記リフトに載せられた状態で回転して洗濯物が頂点に到達する前に所定の高さで落下するようにし、洗濯を効率的に行えるようにする。
【０１９４】
前記ドラム駆動用モータは、前記タブの後方に装着され、回転力を発生し前記ドラムを回転させることができる。前記ドラム駆動用モータの出力軸に減速器が設けられており、前記ドラムの回転速度を調整することができる。
【０１９５】
以下、図１８〜図２２を参照して本発明のさらに他の実施形態による洗剤供給装置３１０について詳細に説明する。
【０１９６】
図１８は本発明のさらに他の実施形態による自動洗剤供給装置３１０を示す斜視図であり、図１９は図１８の洗剤ボックス３１２の内部構造を示す斜視図であり、図２０は図１９のディスペンサハウジング３５０の外観を示す斜視図である。
【０１９７】
また、図２１は図１９の液体洗剤貯蔵部３２０において開閉プレート３２９ｂが開放された状態を示す斜視図であり、図２２は図２０の液体洗剤貯蔵部３２０に備えられたポンピング手段３２２及び駆動部３２７の分解斜視図である。
【０１９８】
本発明による洗濯機３００は、洗剤を投入できる洗剤供給装置３１０を提供する。
【０１９９】
キャビネット３０１の上部プレートの下部には給水管が設けられてもよい。
【０２００】
前記給水管は、その一端部が給水源に連結され、その他端部が洗剤供給装置３１０に連結され、前記給水源からの洗濯水を洗剤供給装置３１０に経由させるようになっている。
【０２０１】
前記給水管の一側には給水バルブが備えられており、給水管路を開閉することができる。
【０２０２】
キャビネット３０１の前面上端部に制御パネル３０３が設けられ、制御パネル３０３に電源ボタン３０３ａ、洗濯モード調整ダイヤル３０３ｂ、洗濯モードを表示するディスプレイ部３０３ｃ、補助調整ボタン３０３ｄなどが備えられてもよい。
【０２０３】
前記洗濯モードは、例えば標準洗濯、頑固汚れ、ベビー服、節約煮洗い、スピードウォッシュ、アレルギーケア、スチームクリーニング、機能性衣類、クワイエット、カラーケア、ランジェリー／ウール、毛布、濯ぎ＋脱水など、様々なモードに分けられる。
【０２０４】
洗濯モード調整ダイヤル３０３ｂは、使用者の回転操作により選択的に設定可能になっており、所望の洗濯方法で洗濯を行うことができる。
【０２０５】
洗剤供給装置３１０は、ディスペンサハウジング３５０及び洗剤ボックス３１２から構成されてもよい。
【０２０６】
ディスペンサハウジング３５０は、キャビネット３０１の前面左上端の内部に設けられてもよい。
【０２０７】
ディスペンサハウジング３５０は、制御パネル３０３の左端部に隣接して設けられてもよい。
【０２０８】
ディスペンサハウジング３５０は、内部に洗剤ボックス３１２を収容できる収納空間を提供する。
【０２０９】
ディスペンサハウジング３５０は、前方に開口部を備え、洗剤ボックス３１２の外周及び後方を囲む密閉型ボックス構造からなるようにしてもよい。
【０２１０】
ディスペンサハウジング３５０は、上端部に給水分配ユニット３３０を備える。
【０２１１】
給水分配ユニット３３０は、ディスペンサハウジング３５０の上端部全体を覆蓋する給水カバー３３１と、内部に給水分配流路が備えられた分配板３３２とから構成されてもよい。
【０２１２】
分配板３３２は、ディスペンサハウジング３５０の上端部に一体型に備えられてもよく、着脱可能に結合されてもよい。
【０２１３】
分配板３３２の後方には複数の給水口３３３が前記給水分配流路に連通して設けられ、給水口３３３に給水管が連結されており、前記給水源からの洗濯水を分配板３３２の給水分配流路に供給することができる。
【０２１４】
分配板３３２の底面には複数の給水孔が形成されており、前記給水分配流路を介して供給される洗濯水を前記給水孔から洗剤貯蔵部にそれぞれ供給することができる。
【０２１５】
洗剤ボックス３１２は、前方に前面プレート３１１を備え、前面プレート３１１の前面からその内側に陥没部３１１ａが陥没形成されており、使用者が陥没部３１１ａに指を入れて前面プレート３１１の一部を引っ張ることができる。
【０２１６】
前記洗剤は、粉末洗剤と液体洗剤に分けられる。
【０２１７】
前記粉末洗剤は、一般的に広く用いられているが、洗剤の特性上、水分と接触すると、湿気を帯び、洗剤粉末同士が凝集して洗剤排出口３２１を塞ぐなどの欠点がある。
【０２１８】
一方、前記液体洗剤は、洗濯する度に適正量を液体洗剤貯蔵部３２０に分配して用いなければならないという不便があった。
【０２１９】
本発明においては、このような液体洗剤の欠点を一挙に解決することができる。
【０２２０】
このために、本発明による洗剤供給装置３１０は、洗剤ボックス３１２の内部に液体洗剤貯蔵部３２０及び粉末洗剤貯蔵部３４０を備えてもよい。
【０２２１】
液体洗剤貯蔵部３２０と粉末洗剤貯蔵部３４０とは隔壁により区画されるようにしてもよい。
【０２２２】
液体洗剤貯蔵部３２０の上面にカバープレート３２９ａが備えられ、前記カバープレートの一側に注入口が備えられてもよい。前記カバープレートの一側に開閉プレート３２９ｂがヒンジ構造で結合され、注入口を開閉するようにしてもよい。
【０２２３】
この場合、液体洗剤貯蔵部３２０に液体洗剤を追加投入するときに開閉プレート３２９ｂを開放し、平常時は開閉プレート３２９ｂを閉じておくことにより、給水分配ユニット３３０の給水孔から洗濯水が液体洗剤貯蔵部３２０に流入することを防止することができる。
【０２２４】
ここで、開閉プレート３２９ｂは、カバープレート３２９ａにヒンジ構造で結合されるのではなく、スライド式で移動可能に結合されるようにし、カバープレート３２９ａと重なるかカバープレート３２９ａから展開することにより液体洗剤貯蔵部３２０の注入口を開閉するようにしてもよい。
【０２２５】
液体洗剤貯蔵部３２０は、ポンピング手段３２２及び吐出部３２３ｃを備え、内部に貯蔵された液体洗剤の適正量を洗濯する度に吐出するようにしてもよい。
【０２２６】
液体洗剤貯蔵部３２０は、洗剤ボックス３１２の内部に水平に配置されたボックス構造であってもよい。
【０２２７】
ポンピング手段３２２は、液体洗剤貯蔵部３２０の後方部に備えられてもよい。
【０２２８】
ポンピング手段３２２は、一対のギヤ３２２ａ、３２２ｂにより作動するギヤポンプで実現されてもよい。
【０２２９】
前記ギヤポンプは、互いに噛み合って回転する一対のギヤ３２２ａ、３２２ｂを備え、各ギヤ３２２ａ、３２２ｂが互いに外接して反対方向に回転するようにしてもよい。
【０２３０】
前記ギヤポンプは、外接するギヤ３２２ａ、３２２ｂを介して一側から他側に液体洗剤をポンピングするようにしてもよい。
【０２３１】
液体洗剤貯蔵部３２０の一端部の底面に液体洗剤排出口３２１が備えられ、液体洗剤排出口３２１から液体洗剤が外部に排出されるようにしてもよい。
【０２３２】
液体洗剤貯蔵部３２０の底面は、液体洗剤排出口３２１に向かって下向きに傾斜して形成されてもよい。
【０２３３】
すなわち、液体洗剤貯蔵部３２０において、他側底面の高さが液体洗剤排出口３２１に近づくほど低くなるように緩やかに傾斜していてもよい。
【０２３４】
これにより、液体洗剤貯蔵部３２０に貯蔵された液体洗剤が重力により液体洗剤排出口３２１に集まり、液体洗剤の流れを円滑に維持することができる。
【０２３５】
液体洗剤排出口３２１は、前記ギヤポンプの流入口に連通して形成されてもよい。
【０２３６】
前記液体洗剤は、液体洗剤貯蔵部３２０から液体洗剤排出口３２１を介して排出されて前記ギヤポンプに供給され、前記ギヤポンプによりポンピングされて吐出部３２３ｃを介して吐出される。
【０２３７】
ポンピング手段３２２は、排出口３２１から排出された洗剤を選択的に吐出するようにしてもよい。
【０２３８】
「洗剤がポンピング手段３２２により選択的に吐出される」とは、洗剤供給が断続的に行われることを意味する。
【０２３９】
例えば、ポンピング手段３２２の駆動中は洗剤がポンピング手段３２２によりポンピングされるので、この場合は洗剤が前記タブに供給され、それに対して、ポンピング手段３２２が駆動されない休止期間中は洗剤がポンピング手段３２２によりポンピングされないので、この場合は洗剤が前記タブに供給されない。
【０２４０】
このようにポンピング手段３２２により洗剤を選択的に供給するのは、洗濯する度に使用者が液体洗剤の適正量を決定して洗剤ボックス３１２に投入するようにするのではなく、ポンピング手段３２２により洗剤が断続的に前記タブに供給されるようにするためである。
【０２４１】
ポンピング手段３２２によりポンピングされる洗剤の量は、ギヤ３２２ａ、３２２ｂの回転速度により調整することができる。
【０２４２】
前記ギヤポンプの回転速度が速くなるほど、ポンピング速度が速くなり、ポンピング量も増加する。
【０２４３】
よって、洗濯する度に前記タブに投入される液体洗剤の適正量は、制御パネル３０３に備えられた洗剤供給量調整ノブ（あるいは洗剤供給量調整ボタン）を用いて前記ギヤポンプの回転速度を制御することにより調整することができる。
【０２４４】
ポンピング手段３２２は、液体洗剤貯蔵部３２０の排出口３２１を覆うように結合される流路形成プレート３２３を含んでもよい。
【０２４５】
流路形成プレート３２３は、液体洗剤貯蔵部３２０の後方面に配置されてもよい。
【０２４６】
流路形成プレート３２３は、液体洗剤貯蔵部３２０の排出口３２１に対向して配置された流入部３２３ａを含んでもよい。
【０２４７】
流入部３２３ａは、液体洗剤貯蔵部３２０の排出口３２１と同様に、液体洗剤貯蔵部３２０の後方面の底面に配置されることが好ましい。
【０２４８】
これは、排出口３２１及び流入部３２３ａをできるだけ低い位置に形成した場合に液体洗剤貯蔵部３２０に貯蔵された液体洗剤を最大限多く送ることができるからである。
【０２４９】
流路形成プレート３２３は、ポンピング手段３２２であるギヤポンプの一側と他側を連結する供給流路３２３ｂを含んでもよい。
【０２５０】
供給流路３２３ｂは、流入部３２３ａと吐出部３２３ｃを連結するようにしてもよい。
【０２５１】
この場合、供給流路３２３ｂは、ポンピング手段３２２によりポンピングされた洗剤を吐出部３２３ｃに移動させ、そのポンピングされた洗剤を吐出部３２３ｃを介して前記タブに移送することができる。
【０２５２】
ポンピング手段３２２は、駆動部３２７により駆動されるようにしてもよい。
【０２５３】
駆動部３２７は、回転力を発生する駆動モータであってもよい。
【０２５４】
前記駆動モータは、ディスペンサハウジング３５０の後方面に設けられてもよい。
【０２５５】
前記駆動モータは、モータハウジング３２８の内部に収納されてもよい。
【０２５６】
前記駆動モータは、固定ブラケットによりキャビネット３０１の内部に固定結合されてもよい。
【０２５７】
前記駆動モータは、制御パネル３０３の洗剤供給量調整ノブからの電気的制御信号により制御されるようにしてもよい。
【０２５８】
洗剤供給量は、使用者が前記洗剤供給量調整ノブを用いて手動で調整することもでき、洗濯モード毎に予め設定されたデフォルト値に自動的に設定されるようにすることもできる。
【０２５９】
前記駆動モータは、外部から供給された三相交流電源により回転力を発生するようにしてもよい。
【０２６０】
前記駆動モータから発生した回転力は、モータハウジング３２８の外部に突出した駆動軸３２６を介して出力されるようにしてもよい。
【０２６１】
駆動軸３２６は、モータハウジング３２８の一端部から突出し、ディスペンサハウジング３５０の後方面から内側に突出するように形成されてもよい。
【０２６２】
ポンピング手段３２２は、カプラー３２５を介して前記駆動モータに接続されて動力が伝達されるようにしてもよい。
【０２６３】
カプラー３２５は、駆動ギヤ３２５ａと従動ギヤ３２５ｂとを含んでもよい。
【０２６４】
駆動ギヤ３２５ａは、駆動軸３２６に回転可能に結合されてもよい。
【０２６５】
従動ギヤ３２５ｂは、駆動ギヤ３２５ａと噛み合うように結合されてもよい。
【０２６６】
前記ギヤポンプのギヤ３２２ａ、３２２ｂは、両端部が流路形成プレート３２３と液体洗剤貯蔵部３２０の後端部間に備えられたベアリングにより回転可能に支持されるようにしてもよい。
【０２６７】
前記ギヤポンプのギヤ３２２ａ、３２２ｂは、回転軸３２２ｂ’をそれぞれ備えてもよい。
【０２６８】
前記ギヤポンプのギヤ３２２ａ、３２２ｂのいずれかのギヤ３２２ａ、３２２ｂに備えられた回転軸３２２ｂ’は、軸方向に長く形成されてもよい。
【０２６９】
回転軸３２２ｂ’の長さは、流路形成プレート３２３の厚さを貫通するように長くしてもよい。
【０２７０】
回転軸３２２ｂ’の一端部はギヤ３２２ｂの中心部に直接連結され、回転軸３２２ｂ’の他端部は従動ギヤ３２５ｂに結合されるようにしてもよい。
【０２７１】
流路形成プレート３２３は、回転軸３２２ｂ’を貫通させるための貫通孔を備えてもよい。
【０２７２】
前記貫通孔から液体洗剤貯蔵部３２０の液体洗剤が漏れることがあるので、前記貫通孔周囲にシール部材３２４が備えられてもよい。
【０２７３】
シール部材３２４は、リング状に形成されて前記貫通孔周囲を囲むようにしてもよい。
【０２７４】
シール部材３２４は、流路形成プレート３２３の裏面、すなわち液体洗剤貯蔵部３２０に対向する面と反対の面に備えられてもよい。
【０２７５】
流路形成プレート３２３の裏面には、シール部材３２４を固定できるようにシール部材支持部３２３ｄが円状に突設されてもよい。
【０２７６】
シール部材３２４は、円状であり、シール部材支持部３２３ｄに挿入されることにより回転軸３２２ｂ’と前記貫通孔間の隙間を密閉する。
【０２７７】
回転軸３２２ｂ’は、シール部材３２４を貫通して従動ギヤ３２５ｂに結合されるようにしてもよい。
【０２７８】
このような構成の連結関係によるポンピングメカニズム及び液体洗剤のポンピング作用について詳細に説明する。
【０２７９】
前記駆動モータが駆動されることにより、モータハウジング３２８からディスペンサハウジング３５０の内側に突出した駆動軸３２６が回転する。
【０２８０】
次いで、駆動軸３２６に結合された駆動ギヤ３２５ａが回転し、駆動ギヤ３２５ａと噛み合うように結合された従動ギヤ３２５ｂも共に回転する。
【０２８１】
駆動ギヤ３２５ａと従動ギヤ３２５ｂが回転することにより、動力が流路形成プレート３２３を貫通する回転軸３２２ｂ’を介してポンピング手段３２２であるギヤポンプに伝達される。
【０２８２】
前記ギヤポンプのギヤ３２２ａ、３２２ｂのいずれかのギヤ３２２ｂは、回転軸３２２ｂ’から伝達された動力により回転し、当該ギヤ３２２ｂと噛み合うように結合された残りのギヤ３２２ａも連動することにより、ギヤ３２２ａ、３２２ｂの回転によりポンピング力が発生する。
【０２８３】
前記ポンピング力により、液体洗剤が液体洗剤貯蔵部３２０の後端部の底面に形成された排出口３２１から流路形成プレート３２３の流入部３２３ａを経由して前記ギヤポンプの流入側に供給され、前記供給された液体洗剤は、互いに噛み合った一対のギヤ３２２ａ、３２２ｂを通過して圧縮される。
【０２８４】
前記圧縮された液体洗剤は、流路形成プレート３２３の供給流路３２３ｂを介して吐出部３２３ｃに供給され、吐出部３２３ｃから下方に吐出される。
【０２８５】
前記吐出された液体洗剤は、ディスペンサハウジング３５０の底面に設けられた空間部３５２を経由して給水流路３５１に供給される。
【０２８６】
空間部３５２は、洗剤ボックス３１２の底面とディスペンサハウジング３５０の底面間に備えられてもよい。
【０２８７】
空間部３５２は、ディスペンサハウジング３５０の後方底面に備えられた給水流路３５１に連通するようにしてもよい。
【０２８８】
給水流路３５１は、ベローズ管を介して前記タブに連結されるようにしてもよい。
【０２８９】
前記液体洗剤は、前記ベローズ管を介して前記タブに供給されるようにしてもよい。
【０２９０】
また、吐出部３２３ｃから吐出された液体洗剤は空間部３５２に流入する洗濯水と混合されるので、液体洗剤が混入された洗濯水を前記タブに供給することができる。
【０２９１】
さらに、本発明においては、従来の粉末洗剤の欠点を一挙に解決する方法を提示する。
【０２９２】
液体洗剤貯蔵部３２０は、洗濯機３００を正面から見たときに、洗剤ボックス３１２の内部において左側面の後方に配置されてもよい。
【０２９３】
さらに、洗剤ボックス３１２の内部において液体洗剤貯蔵部３２０の前方には、洗濯水投入部３３４が備えられてもよい。
【０２９４】
給水源からの洗濯水は、給水分配ユニット３３０の給水孔から洗濯水投入部３３４に供給されることにより、給水流路３５１を介して前記タブに直接供給することができる。
【０２９５】
さらに、洗濯水投入部３３４に投入された洗濯水と液体洗剤が洗剤ボックス３１２の底面とディスペンサハウジング３５０の底面間の空間部３５２で混合されることにより、洗剤が混入された洗濯水を給水流路３５１を介して前記タブに供給することができる。
【０２９６】
液体洗剤貯蔵部３２０の内部には水位センサが備えられており、液体洗剤が不足した場合に別途の液体洗剤供給配管やホースラインを介して液体洗剤貯蔵部３２０の内部に液体洗剤を追加供給することができる。
【０２９７】
以下、図２３を参照して本発明のさらに他の実施形態による洗剤供給装置３１０における液体洗剤移動経路について説明する。
【０２９８】
図２３は本発明のさらに他の実施形態による液体洗剤貯蔵部３２０における液体洗剤移動経路を示す断面図である。
【０２９９】
液体洗剤貯蔵部３２０に貯蔵可能な液体洗剤の容量は、１回分ではなく、複数回使用可能な容量である。
【０３００】
液体洗剤貯蔵部３２０に液体洗剤を供給及び投入する方法には、使用者が手動で洗剤ボックス３１２に注入する方法と、外部の液体洗剤供給ホースから自動的に供給する方法がある。
【０３０１】
ただし、前記液体洗剤供給ホースによる自動供給方法は、液体洗剤貯蔵部３２０内部の水位センサが作動することにより実行される。
【０３０２】
液体洗剤貯蔵部３２０に貯蔵された液体洗剤は、液体洗剤貯蔵部３２０の背面に形成された排出口３２１から流路形成プレート３２３の流入部３２３ａに供給される。
【０３０３】
次に、流路形成プレート３２３の流入部３２３ａに供給された液体洗剤は、前記ギヤポンプの互いに噛み合ったギヤ３２２ａ、３２２ｂ間に流入して圧縮される。
【０３０４】
前記圧縮された液体洗剤は、供給流路３２３ｂを経由して流路形成プレート３２３の吐出部３２３ｃを介してディスペンサハウジング３５０の空間部３５２に落下する。
【０３０５】
前記落下した液体洗剤は、洗濯水投入部３３４の上流側から下降する洗濯水と混合され、給水流路３５１を介して前記タブに供給される。
【０３０６】
一方、粉末洗剤貯蔵部３４０は、隔壁を介して液体洗剤貯蔵部３２０と平行に配置されてもよい。
【０３０７】
また、粉末洗剤貯蔵部３４０は、洗剤ボックス３１２の内部において右側面の後方に配置されてもよい。
【０３０８】
さらに、粉末洗剤貯蔵部３４０は上面が開放されるか又は上面に開口部が形成されることにより、洗濯水が開口面を介して給水分配ユニット３３０の給水孔から粉末洗剤貯蔵部３４０に落下して一時貯蔵される。
【０３０９】
粉末洗剤貯蔵部３４０は、固まった粉末洗剤により洗剤排出口が塞がる現象を防止するために、内部にサイフォン管３４１を含んでもよい。
【０３１０】
サイフォン管３４１は、４つの側面が全て閉塞された粉末洗剤貯蔵部３４０の内部にその底面から上方に突出して形成されてもよい。
【０３１１】
サイフォン管３４１の上部には、粉末洗剤貯蔵部３４０の上面を覆う蓋板３４２が備えられてもよい。
【０３１２】
蓋板３４２の一側に開口部が形成され、給水分配ユニット３３０の給水孔からの洗濯水が開口部を介して落下するようにしてもよい。
【０３１３】
蓋板３４２の他側底面にサイフォンカバー管３４３が備えられ、サイフォン管３４１を覆うようにしてもよい。
【０３１４】
サイフォンカバー管３４３の直径は、サイフォン管３４１の直径より相対的に大きい。
【０３１５】
これにより、サイフォン管３４１の外径面とサイフォンカバー管３４３の内径面間にサイフォン流路が形成される。
【０３１６】
粉末洗剤貯蔵部３４０に投入された粉末洗剤と給水分配ユニット３３０の給水孔から供給された洗濯水が混合される。
【０３１７】
前記粉末洗剤は、冷水か温水かに関係なく溶解しやすい親水性物質であり、水にしばらく浸っているだけで溶解する。
【０３１８】
給水分配ユニット３３０の給水孔から供給される洗濯水がサイフォン管３４１の高さまで満たされるのに所定時間が必要であり、その間に粉末洗剤貯蔵部３４０に投入された粉末洗剤が洗濯水に溶解する。
【０３１９】
すなわち、粉末洗剤貯蔵部３４０は、内部空間が密閉されているので、洗濯水がサイフォン管３４１の高さまで満たされるのにかかる所定時間の間に、洗剤粉末が洗濯水に浸って混合されて溶解する。
【０３２０】
前記粉末洗剤が溶解した洗濯水がサイフォン管３４１の高さを越えると、サイフォン原理により前記洗剤が混入された洗濯水がサイフォン管３４１とサイフォンカバー管３４３間のサイフォン流路を上昇し、その頂点でサイフォン管３４１の内側に流入して落下する。
【０３２１】
ここで、前記サイフォン流路は、粉末洗剤が溶解した洗濯水が通過するには十分であるが、固まった粉末洗剤が通過することはできない。
【０３２２】
よって、サイフォン管３４１は粉末洗剤が洗濯水に十分に溶解するように促進する作用をし、サイフォンカバー管３４３及びサイフォン管３４１は固まった粉末洗剤の流入を防ぐことができる。
【０３２３】
さらに、粉末洗剤の洗濯水への溶解をより容易にするために、粉末洗剤貯蔵部３４０の内部に攪拌機が備えられてもよい。
【０３２４】
前記攪拌機は、風車や水車などのように流体の流れを利用して回転するようにしてもよい。
【０３２５】
前記攪拌機は、垂直方向に回転するバケット及びそれを支持する回転軸３２２ｂ’により実現されてもよい。
【０３２６】
前記攪拌機は、給水分配ユニット３３０の給水孔から落下する洗濯水の位置エネルギーを動力源として回転するようにしてもよい。
【０３２７】
例えば、前記落下する洗濯水が前記バケットに溜まることにより前記バケットが回転して前記洗濯水を掻き回すようにすることができる。
【０３２８】
これにより、粉末洗剤が凝集する現象が発生することなく、粉末洗剤を洗濯水に効果的に溶解することができる。
【０３２９】
粉末洗剤貯蔵部３４０の内部に水位センサが備えられ、洗濯水がサイフォン管３４１の高さ以上を維持するように、洗濯水を粉末洗剤貯蔵部３４０に供給することができる。
【０３３０】
以下、図２４を参照して本明細書に開示された粉末洗剤の移動経路について説明する。
【０３３１】
図２４は本発明のさらに他の実施形態による粉末洗剤貯蔵部３４０における粉末洗剤が溶解した洗濯水の移動経路を示す断面図である。
【０３３２】
前記粉末洗剤は、洗剤の特性上、固体であるので、洗剤粉末を水に溶解してタブに供給する。
【０３３３】
使用者は、洗濯のために洗剤ボックス３１２をキャビネット３０１の前方に引き出し、その後粉末洗剤貯蔵部３４０に適正量の洗剤粉末を投入する。
【０３３４】
洗濯水は給水源から給水分配ユニット３３０の給水分配流路に供給され、給水分配流路を介して分配された洗濯水は分配板３３２の底面に形成された給水孔から粉末洗剤貯蔵部３４０に投入される。
【０３３５】
前記給水孔から投入される洗濯水は、粉末洗剤貯蔵部３４０の上部蓋板３４２に形成された開口部から粉末洗剤貯蔵部３４０の内部に流入する。
【０３３６】
粉末洗剤貯蔵部３４０に流入した洗濯水は粉末洗剤と混合され、粉末洗剤が洗濯水に溶解する。
【０３３７】
粉末洗剤貯蔵部３４０において前記粉末洗剤が溶解した洗剤液（以下、洗剤液という）の量が次第に多くなることにより、前記洗剤液の高さがサイフォン管３４１の高さより高くなり、前記洗剤液がサイフォンカバー管３４３とサイフォン管３４１間のサイフォン流路を介してサイフォン管３４１の頂点に移動する。
【０３３８】
次いで、前記洗剤液がサイフォン管３４１の頂点から管内に流入して管内を下降する。
【０３３９】
サイフォン管３４１内を下降した洗剤液は、洗剤ボックス３１２の底面に備えられた洗剤液排水通路３４４に落下し、洗剤ボックス３１２の底面に流れ、結局ディスペンサハウジング３５０の給水流路３５１を介して前記タブに供給される。
【０３４０】
よって、本発明によれば、液体洗剤貯蔵部３２０に備えられたポンピング手段３２２を選択的に駆動することにより、液体洗剤の適正量を使用者が決定するのではなく、洗剤供給装置３１０において自動的に設定して供給することができ、所望の量を使用者が必要に応じて設定することができるので、従来の洗剤供給時の不都合を解消することができる。
【０３４１】
また、粉末洗剤貯蔵部３４０にサイフォン管３４１を備えることにより、粉末洗剤が洗濯水に十分に溶解するまで粉末洗剤と洗濯水を密閉空間に一時貯蔵することができ、サイフォン管３４１の高さ以上となると粉末洗剤が溶解した洗濯水を供給することができる。
【０３４２】
さらに、サイフォン管３４１及びサイフォンカバー管３４３により洗剤液が通過する通路を狭くすることにより、従来の洗剤排出口３２１が粉末洗剤の塊りにより塞がる現象を防止することができる。
【０３４３】
前述した実施形態は本発明の技術的思想が洗濯機に適用されたケースに該当するが、必ずしもこれに限定されるものではなく、乾燥機能を有する洗濯機などにも適用することができる。
【図１】
0006456927.tif 000002
【図２】
0006456927.tif 000003
【図３】
0006456927.tif 000004
【図４】
0006456927.tif 000005
【図５】
0006456927.tif 000006
【図６】
0006456927.tif 000007
【図７】
0006456927.tif 000008
【図８】
0006456927.tif 000009
【図９】
0006456927.tif 000010
【図１０】
0006456927.tif 000011
【図１１】
0006456927.tif 000012
【図１２】
0006456927.tif 000013
【図１３】
0006456927.tif 000014
【図１４】
0006456927.tif 000015
【図１５】
0006456927.tif 000016
【図１６】
0006456927.tif 000017
【図１７】
0006456927.tif 000018
【図１８】
0006456927.tif 000019
【図１９】
0006456927.tif 000020
【図２０】
0006456927.tif 000021
【図２１】
0006456927.tif 000022
【図２２】
0006456927.tif 000023
【図２３】
0006456927.tif 000024
【図２４】
0006456927.tif 000025